(57)【特許請求の範囲】
【請求項１】
楽曲コンテンツに対するユーザの好みの程度を示す評価情報を携帯端末から受信し、その受信した評価情報に基づいて配信対象の楽曲コンテンツを決定して、その決定した楽曲コンテンツを配信する機能を有する楽曲コンテンツ配信サーバから前記楽曲コンテンツの配信を受ける機能と、車載装置から送信された前記評価情報を前記楽曲コンテンツ配信サーバに送信する機能とを有する携帯端末と接続可能に成された車載装置であって、
前記楽曲コンテンツ配信サーバから前記携帯端末に配信された楽曲コンテンツを当該携帯端末から受信する楽曲コンテンツ受信部と、
前記ユーザの好みの程度が所定値であるとみなされる１または複数の楽曲コンテンツを特定するための、１または複数の楽曲コンテンツ特定情報から成る第１の属性情報を記憶する第１の属性情報記憶部と、
前記楽曲コンテンツ受信部により受信された前記楽曲コンテンツに付随し、複数の楽曲コンテンツ特定情報から成る第２の属性情報と前記第１の属性情報との間で所定の条件を満たすか否かに基づいて、当該楽曲コンテンツに対する前記ユーザの好みの程度を示す評価情報を生成する評価情報生成部と、
前記評価情報生成部により生成された前記評価情報を前記携帯端末に送信する評価情報送信部とを備え、
前記第１の属性情報は、楽曲コンテンツを記憶する楽曲コンテンツ記憶部に記憶されている当該楽曲コンテンツを特定するための複数の楽曲コンテンツ特定情報から成る情報であり、
前記所定の条件は、前記第２の属性情報を構成する複数の楽曲コンテンツ特定情報の少なくとも一部が、前記第１の属性情報を構成する複数の楽曲コンテンツ特定情報の少なくとも一部と合致することであり、
前記評価情報生成部は、前記所定の条件を満たす場合には前記ユーザの好みの程度が高いことを示す所定値から成る評価情報を生成する一方、前記所定の条件を満たさない場合には前記ユーザの好みの程度が低いことを示す所定値から成る評価情報を生成することを特徴とする車載装置。
【請求項２】
楽曲コンテンツに対するユーザの好みの程度を示す評価情報を携帯端末から受信し、その受信した評価情報に基づいて配信対象の楽曲コンテンツを決定して、その決定した楽曲コンテンツを配信する機能を有する楽曲コンテンツ配信サーバから前記楽曲コンテンツの配信を受ける機能と、車載装置から送信された前記評価情報を前記楽曲コンテンツ配信サーバに送信する機能とを有する携帯端末と接続可能に成された車載装置であって、
前記楽曲コンテンツ配信サーバから前記携帯端末に配信された楽曲コンテンツを当該携帯端末から受信する楽曲コンテンツ受信部と、
前記ユーザの好みの程度が所定値であるとみなされる１または複数の楽曲コンテンツを特定するための、１または複数の楽曲コンテンツ特定情報から成る第１の属性情報を記憶する第１の属性情報記憶部と、
前記楽曲コンテンツ受信部により受信された前記楽曲コンテンツに付随し、複数の楽曲コンテンツ特定情報から成る第２の属性情報と前記第１の属性情報との間で所定の条件を満たすか否かに基づいて、当該楽曲コンテンツに対する前記ユーザの好みの程度を示す評価情報を生成する評価情報生成部と、
前記評価情報生成部により生成された前記評価情報を前記携帯端末に送信する評価情報送信部とを備え、
前記第１の属性情報は、楽曲コンテンツを記憶する楽曲コンテンツ記憶部に記憶されている当該楽曲コンテンツを特定するための複数の楽曲コンテンツ特定情報から成る第３の属性情報と、好みの程度が高いものとして前記ユーザにより指定された１または複数の楽曲コンテンツを特定するための情報であって、１または複数の楽曲コンテンツ特定情報から成る第４の属性情報と、好みの程度が低いものとして前記ユーザにより指定された１または複数の楽曲コンテンツを特定するための情報であって、１または複数の楽曲コンテンツ特定情報から成る第５の属性情報との３種類を含み、
前記所定の条件は、前記第２の属性情報を構成する複数の楽曲コンテンツ特定情報の少なくとも一部が、前記第３の属性情報を構成する複数の楽曲コンテンツ特定情報の少なくとも一部と合致するという第１の所定の条件と、前記第２の属性情報を構成する複数の楽曲コンテンツ特定情報の少なくとも一部が、前記第４の属性情報を構成する楽曲コンテンツ特定情報の全てと合致するという第２の所定の条件と、前記第２の属性情報を構成する複数の楽曲コンテンツ特定情報の少なくとも一部が、前記第５の属性情報を構成する楽曲コンテンツ特定情報の全てと合致するという第３の所定の条件との３種類が存在し、
前記評価情報生成部は、前記第１の所定の条件を満たして前記第２の所定の条件および前記第３の所定の条件を満たさない場合、前記第１の所定の条件および前記第２の所定の条件を満たして前記第３の所定の条件を満たさない場合または前記第２の所定の条件を満たして前記第１の所定の条件および前記第３の所定の条件を満たさない場合、前記ユーザの好みの程度が高いことを示す所定値から成る評価情報を生成する一方、前記第３の所定の条件を満たして前記第１の所定の条件および前記第２の所定の条件を満たさない場合、前記第１の所定の条件、前記第２の所定の条件および前記第３の所定の条件を満たさない場合または前記第１の所定の条件および前記第３の所定の条件を満たして前記第２の所定の条件を満たさない場合、前記ユーザの好みの程度が低いことを示す所定値から成る評価情報を生成することを特徴とする車載装置。
【請求項３】
楽曲コンテンツに対するユーザの好みの程度を示す評価情報を携帯端末から受信し、その受信した評価情報に基づいて配信対象の楽曲コンテンツを決定して、その決定した楽曲コンテンツを配信する機能を有する楽曲コンテンツ配信サーバから前記楽曲コンテンツの配信を受ける機能と、車載装置から送信された前記評価情報を前記楽曲コンテンツ配信サーバに送信する機能とを有する携帯端末と接続可能に成された車載装置であって、
前記楽曲コンテンツ配信サーバから前記携帯端末に配信された楽曲コンテンツを当該携帯端末から受信する楽曲コンテンツ受信部と、
前記ユーザの好みの程度が所定値であるとみなされる１または複数の楽曲コンテンツを特定するための、１または複数の楽曲コンテンツ特定情報から成る第１の属性情報を記憶する第１の属性情報記憶部と、
前記楽曲コンテンツ受信部により受信された前記楽曲コンテンツに付随し、複数の楽曲コンテンツ特定情報から成る第２の属性情報と前記第１の属性情報との間で所定の条件を満たすか否かに基づいて、当該楽曲コンテンツに対する前記ユーザの好みの程度を示す評価情報を生成する評価情報生成部と、
前記評価情報生成部により生成された前記評価情報を前記携帯端末に送信する評価情報送信部とを備え、
前記第１の属性情報は、好みの程度が高いものとして前記ユーザにより指定された１または複数の楽曲コンテンツを特定するための情報であって、１または複数の楽曲コンテンツ特定情報から成る第４の属性情報と、好みの程度が低いものとして前記ユーザにより指定された１または複数の楽曲コンテンツを特定するための情報であって、１または複数の楽曲コンテンツ特定情報から成る第５の属性情報との２種類を含み、
前記所定の条件は、前記第２の属性情報を構成する複数の楽曲コンテンツ特定情報の少なくとも一部が、前記第４の属性情報を構成する楽曲コンテンツ特定情報の全てと合致するという第２の所定の条件と、前記第２の属性情報を構成する複数の楽曲コンテンツ特定情報の少なくとも一部が、前記第５の属性情報を構成する楽曲コンテンツ特定情報の全てと合致するという第３の所定の条件との２種類が存在し、
前記評価情報生成部は、前記第２の所定の条件を満たして前記第３の所定の条件を満たさない場合、前記ユーザの好みの程度が高いことを示す所定値から成る評価情報を生成する一方、前記第３の所定の条件を満たして前記第２の所定の条件を満たさない場合または前記第２の所定の条件および前記第３の所定の条件を満たす場合、前記ユーザの好みの程度が低いことを示す所定値から成る評価情報を生成することを特徴とする車載装置。
【請求項４】
楽曲コンテンツに対するユーザの好みの程度を示す評価情報を携帯端末から受信し、その受信した評価情報に基づいて配信対象の楽曲コンテンツを決定して、その決定した楽曲コンテンツを配信する機能を有する楽曲コンテンツ配信サーバから前記楽曲コンテンツの配信を受ける機能と、車載装置から送信された前記評価情報を前記楽曲コンテンツ配信サーバに送信する機能とを有する携帯端末と接続可能に成された車載装置であって、
前記楽曲コンテンツ配信サーバから前記携帯端末に配信された楽曲コンテンツを当該携帯端末から受信する楽曲コンテンツ受信部と、
前記ユーザの好みの程度が所定値であるとみなされる１または複数の楽曲コンテンツを特定するための、１または複数の楽曲コンテンツ特定情報から成る第１の属性情報を記憶する第１の属性情報記憶部と、
前記楽曲コンテンツ受信部により受信された前記楽曲コンテンツに付随し、複数の楽曲コンテンツ特定情報から成る第２の属性情報と前記第１の属性情報との間で所定の条件を満たすか否かに基づいて、当該楽曲コンテンツに対する前記ユーザの好みの程度を示す評価情報を生成する評価情報生成部と、
前記評価情報生成部により生成された前記評価情報を前記携帯端末に送信する評価情報送信部とを備え、
前記評価情報送信部が、前記ユーザの好みの程度が低いことを示す所定値から成る評価情報を連続で送信することを許容する回数を設定する許容回数設定部と、
前記許容回数設定部により設定された前記回数を超えて、前記評価情報送信部が前記ユーザの好みの程度が低いことを示す所定値から成る評価情報を連続で送信することを禁止するように制御する制御部とを更に備えたことを特徴とする車載装置。
【請求項５】
楽曲コンテンツに対するユーザの好みの程度を示す評価情報を携帯端末から受信し、その受信した評価情報に基づいて配信対象の楽曲コンテンツを決定して、その決定した楽曲コンテンツを配信する機能を有する楽曲コンテンツ配信サーバから前記楽曲コンテンツの配信を受ける機能と、車載装置から送信された前記評価情報を前記楽曲コンテンツ配信サーバに送信する機能とを有する携帯端末と接続可能に成された車載装置における評価情報送信支援方法であって、
前記車載装置の楽曲コンテンツ受信部が、前記楽曲コンテンツ配信サーバから前記携帯端末に配信された楽曲コンテンツを当該携帯端末から受信する第１のステップと、
前記車載装置の評価情報生成部が、前記第１のステップにより受信された前記楽曲コンテンツに付随し、複数の楽曲コンテンツ特定情報から成る第２の属性情報と、前記ユーザの好みの程度が所定値であるとみなされる１または複数の楽曲コンテンツを特定するための、１または複数の楽曲コンテンツ特定情報から成る第１の属性情報との間で所定の条件を満たすか否かに基づいて、前記第１のステップにより受信された楽曲コンテンツに対する前記ユーザの好みの程度を示す評価情報を生成する第２のステップと、
前記車載装置の評価情報送信部が、前記第２のステップにより生成された前記評価情報を前記携帯端末に送信する第３のステップとを有し、
前記第１の属性情報は、楽曲コンテンツを記憶する楽曲コンテンツ記憶部に記憶されている当該楽曲コンテンツを特定するための複数の楽曲コンテンツ特定情報から成る情報であり、
前記所定の条件は、前記第２の属性情報を構成する複数の楽曲コンテンツ特定情報の少なくとも一部が、前記第１の属性情報を構成する複数の楽曲コンテンツ特定情報の少なくとも一部と合致することであり、
前記第２のステップでは、前記評価情報生成部は、前記所定の条件を満たす場合には前記ユーザの好みの程度が高いことを示す所定値から成る評価情報を生成する一方、前記所定の条件を満たさない場合には前記ユーザの好みの程度が低いことを示す所定値から成る評価情報を生成することを特徴とする評価情報送信支援方法。
【請求項６】
楽曲コンテンツに対するユーザの好みの程度を示す評価情報を携帯端末から受信し、その受信した評価情報に基づいて配信対象の楽曲コンテンツを決定して、その決定した楽曲コンテンツを配信する機能を有する楽曲コンテンツ配信サーバから前記楽曲コンテンツの配信を受ける機能と、車載装置から送信された前記評価情報を前記楽曲コンテンツ配信サーバに送信する機能とを有する携帯端末と接続可能に成された車載装置における評価情報送信支援方法であって、
前記車載装置の楽曲コンテンツ受信部が、前記楽曲コンテンツ配信サーバから前記携帯端末に配信された楽曲コンテンツを当該携帯端末から受信する第１のステップと、
前記車載装置の評価情報生成部が、前記第１のステップにより受信された前記楽曲コンテンツに付随し、複数の楽曲コンテンツ特定情報から成る第２の属性情報と、前記ユーザの好みの程度が所定値であるとみなされる１または複数の楽曲コンテンツを特定するための、１または複数の楽曲コンテンツ特定情報から成る第１の属性情報との間で所定の条件を満たすか否かに基づいて、前記第１のステップにより受信された楽曲コンテンツに対する前記ユーザの好みの程度を示す評価情報を生成する第２のステップと、
前記車載装置の評価情報送信部が、前記第２のステップにより生成された前記評価情報を前記携帯端末に送信する第３のステップとを有し、
前記第１の属性情報は、楽曲コンテンツを記憶する楽曲コンテンツ記憶部に記憶されている当該楽曲コンテンツを特定するための複数の楽曲コンテンツ特定情報から成る第３の属性情報と、好みの程度が高いものとして前記ユーザにより指定された１または複数の楽曲コンテンツを特定するための情報であって、１または複数の楽曲コンテンツ特定情報から成る第４の属性情報と、好みの程度が低いものとして前記ユーザにより指定された１または複数の楽曲コンテンツを特定するための情報であって、１または複数の楽曲コンテンツ特定情報から成る第５の属性情報との３種類を含み、
前記所定の条件は、前記第２の属性情報を構成する複数の楽曲コンテンツ特定情報の少なくとも一部が、前記第３の属性情報を構成する複数の楽曲コンテンツ特定情報の少なくとも一部と合致するという第１の所定の条件と、前記第２の属性情報を構成する複数の楽曲コンテンツ特定情報の少なくとも一部が、前記第４の属性情報を構成する楽曲コンテンツ特定情報の全てと合致するという第２の所定の条件と、前記第２の属性情報を構成する複数の楽曲コンテンツ特定情報の少なくとも一部が、前記第５の属性情報を構成する楽曲コンテンツ特定情報の全てと合致するという第３の所定の条件との３種類が存在し、
前記第２のステップでは、前記評価情報生成部は、前記第１の所定の条件を満たして前記第２の所定の条件および前記第３の所定の条件を満たさない場合、前記第１の所定の条件および前記第２の所定の条件を満たして前記第３の所定の条件を満たさない場合または前記第２の所定の条件を満たして前記第１の所定の条件および前記第３の所定の条件を満たさない場合、前記ユーザの好みの程度が高いことを示す所定値から成る評価情報を生成する一方、前記第３の所定の条件を満たして前記第１の所定の条件および前記第２の所定の条件を満たさない場合、前記第１の所定の条件、前記第２の所定の条件および前記第３の所定の条件を満たさない場合または前記第１の所定の条件および前記第３の所定の条件を満たして前記第２の所定の条件を満たさない場合、前記ユーザの好みの程度が低いことを示す所定値から成る評価情報を生成することを特徴とする評価情報送信支援方法。
【請求項７】
楽曲コンテンツに対するユーザの好みの程度を示す評価情報を携帯端末から受信し、その受信した評価情報に基づいて配信対象の楽曲コンテンツを決定して、その決定した楽曲コンテンツを配信する機能を有する楽曲コンテンツ配信サーバから前記楽曲コンテンツの配信を受ける機能と、車載装置から送信された前記評価情報を前記楽曲コンテンツ配信サーバに送信する機能とを有する携帯端末と接続可能に成された車載装置における評価情報送信支援方法であって、
前記車載装置の楽曲コンテンツ受信部が、前記楽曲コンテンツ配信サーバから前記携帯端末に配信された楽曲コンテンツを当該携帯端末から受信する第１のステップと、
前記車載装置の評価情報生成部が、前記第１のステップにより受信された前記楽曲コンテンツに付随し、複数の楽曲コンテンツ特定情報から成る第２の属性情報と、前記ユーザの好みの程度が所定値であるとみなされる１または複数の楽曲コンテンツを特定するための、１または複数の楽曲コンテンツ特定情報から成る第１の属性情報との間で所定の条件を満たすか否かに基づいて、前記第１のステップにより受信された楽曲コンテンツに対する前記ユーザの好みの程度を示す評価情報を生成する第２のステップと、
前記車載装置の評価情報送信部が、前記第２のステップにより生成された前記評価情報を前記携帯端末に送信する第３のステップとを有し、
前記第１の属性情報は、好みの程度が高いものとして前記ユーザにより指定された１または複数の楽曲コンテンツを特定するための情報であって、１または複数の楽曲コンテンツ特定情報から成る第４の属性情報と、好みの程度が低いものとして前記ユーザにより指定された１または複数の楽曲コンテンツを特定するための情報であって、１または複数の楽曲コンテンツ特定情報から成る第５の属性情報との２種類を含み、
前記所定の条件は、前記第２の属性情報を構成する複数の楽曲コンテンツ特定情報の少なくとも一部が、前記第４の属性情報を構成する楽曲コンテンツ特定情報の全てと合致するという第２の所定の条件と、前記第２の属性情報を構成する複数の楽曲コンテンツ特定情報の少なくとも一部が、前記第５の属性情報を構成する楽曲コンテンツ特定情報の全てと合致するという第３の所定の条件との２種類が存在し、
前記第２のステップでは、前記評価情報生成部は、前記第２の所定の条件を満たして前記第３の所定の条件を満たさない場合、前記ユーザの好みの程度が高いことを示す所定値から成る評価情報を生成する一方、前記第３の所定の条件を満たして前記第２の所定の条件を満たさない場合または前記第２の所定の条件および前記第３の所定の条件を満たす場合、前記ユーザの好みの程度が低いことを示す所定値から成る評価情報を生成することを特徴とする評価情報送信支援方法。
【請求項８】
楽曲コンテンツに対するユーザの好みの程度を示す評価情報を携帯端末から受信し、その受信した評価情報に基づいて配信対象の楽曲コンテンツを決定して、その決定した楽曲コンテンツを配信する機能を有する楽曲コンテンツ配信サーバから前記楽曲コンテンツの配信を受ける機能と、車載装置から送信された前記評価情報を前記楽曲コンテンツ配信サーバに送信する機能とを有する携帯端末と接続可能に成された車載装置における評価情報送信支援方法であって、
前記車載装置の楽曲コンテンツ受信部が、前記楽曲コンテンツ配信サーバから前記携帯端末に配信された楽曲コンテンツを当該携帯端末から受信する第１のステップと、
前記車載装置の評価情報生成部が、前記第１のステップにより受信された前記楽曲コンテンツに付随し、複数の楽曲コンテンツ特定情報から成る第２の属性情報と、前記ユーザの好みの程度が所定値であるとみなされる１または複数の楽曲コンテンツを特定するための、１または複数の楽曲コンテンツ特定情報から成る第１の属性情報との間で所定の条件を満たすか否かに基づいて、前記第１のステップにより受信された楽曲コンテンツに対する前記ユーザの好みの程度を示す評価情報を生成する第２のステップと、
前記車載装置の評価情報送信部が、前記第２のステップにより生成された前記評価情報を前記携帯端末に送信する第３のステップとを有し、
前記第３のステップは、前記車載装置の許容回数設定部が、前記ユーザの好みの程度が低いことを示す所定値から成る評価情報を連続で送信することを許容する回数を設定する許容回数設定ステップと、
前記車載装置の制御部が、前記許容回数設定ステップで設定された前記回数を超えて、前記評価情報送信部が前記ユーザの好みの程度が低いことを示す所定値から成る評価情報を連続で送信することを禁止するように制御する制御ステップとを更に有することを特徴とする評価情報送信支援方法。
【発明の詳細な説明】
【技術分野】
【０００１】
本発明は、楽曲コンテンツ配信サーバから配信された楽曲コンテンツに対するユーザの好みの程度を示す評価情報の送信を支援する車載装置および評価情報送信支援方法に関する。
【背景技術】
【０００２】
近年、インターネットを介して楽曲コンテンツの配信をストリーミング方式で行うインターネットラジオサービスが普及してきている。インターネットラジオには、オンデマンド方式によるものと、ライブ方式によるものとがある。オンデマンド方式は、楽曲コンテンツを事前に収録しておき、ユーザのリクエストによっていつでも配信できるようにした方式である。ライブ方式は、楽曲コンテンツをリアルタイムに生成してユーザに配信する方式である。
【０００３】
最近では、オンデマンド方式によるインターネットラジオの１つとして、「音楽発見エンジン」とも呼ばれる新サービスが提供されている（例えば、特許文献１を参照）。この新サービスでは、ユーザ専用のラジオ局を作成することができる。ラジオ局は、ユーザがお気に入りのジャンル、アーティスト名、曲名、作曲者名などの属性情報を指定することによって作成する。ラジオ局を作成すると、属性情報に関連付けられた楽曲コンテンツとリズムやサウンドの似た楽曲コンテンツがインターネットを通じてストリーム配信される。
【０００４】
この種のインターネットラジオサービスを携帯端末で利用する場合、ユーザは携帯端末に対して、聴きたい楽曲に関連するジャンル、アーティスト名、曲名または作曲者名などの属性情報を入力する。すると、携帯端末は、その属性情報に基づくユーザ専用のラジオ局を作成する。そして、携帯端末は、インターネットを介して、作成したラジオ局の属性情報を楽曲コンテンツ配信サーバに送信する。
【０００５】
楽曲コンテンツ配信サーバは、携帯端末から送信された属性情報に関連付けられている楽曲コンテンツとリズムやサウンドの似た楽曲コンテンツを抽出し、携帯端末に順次送信する。携帯端末は、楽曲コンテンツ配信サーバから順次送信された楽曲コンテンツを再生して音声出力する。このようなインターネットラジオサービスを利用することによって、ユーザは、自分好みのリズムやサウンドを有する多くの楽曲コンテンツを聴くことができ、今まで全く聴いたことのなかった自分好みの楽曲コンテンツに出会える喜びを享受することができる。
【０００６】
しかし、楽曲コンテンツ配信サーバから送信された楽曲コンテンツが、ユーザにとって自分の嗜好とは異なる場合がある。その場合、楽曲コンテンツ配信サーバから配信される楽曲コンテンツをユーザの嗜好に近づけるため、ユーザは、楽曲コンテンツ配信サーバから送信された楽曲コンテンツに対して、ユーザの好みの程度を示す「好き」、「スキップ（現在のラジオ局には不適切である）」、「嫌い」の３通りの評価をすることができる。
【０００７】
楽曲コンテンツ配信サーバはこの評価によって、ユーザの嗜好を学習していき、楽曲コンテンツの選曲を最適化する。例えば、ユーザが「好き」と評価すれば、引き続きリズムやサウンドの似た楽曲コンテンツを配信する。また、ユーザが「嫌い」と評価すれば、現在の楽曲コンテンツの配信を直ちに停止し、リズムやサウンドの似た別の楽曲コンテンツを配信する。そして、ユーザが「嫌い」と評価した楽曲コンテンツを向こう数ヶ月は配信しない。また、ユーザが「スキップ」と評価すれば、現在の楽曲コンテンツの配信を直ちに停止し、リズムやサウンドの似た別の楽曲コンテンツを配信する。
【０００８】
この評価を携帯端末で行う場合、ユーザは楽曲コンテンツ配信サーバから送信された楽曲コンテンツの再生中に当該楽曲コンテンツに対する評価を携帯端末に対して入力する。すると、携帯端末は、インターネットを介して、ユーザにより入力された評価を示す評価情報を楽曲コンテンツ配信サーバに送信する。
【０００９】
なお、インターネットラジオに関し、ユーザから楽曲、アーティストまたはアルバムに関する好みを示すフィードバックを受信し、ユーザの好みがより良く反映されるように、配信対象のデータストリーム（例えば、楽曲）を決定する再生リストを更新する技術が提案されている（例えば、特許文献２を参照）。
【先行技術文献】
【特許文献】
【００１０】
【特許文献１】米国特許出願公開第２００６／０２０６４７８号明細書
【特許文献２】特表２００３−５３５４９０号公報
【発明の概要】
【発明が解決しようとする課題】
【００１１】
ところで、楽曲コンテンツ配信サーバから携帯端末に配信される楽曲コンテンツに基づく音声を車内でも聴きたいというユーザの要望がある。そこで、携帯端末と車載装置とを連携させて、携帯端末に配信される楽曲コンテンツに基づく音声を車載装置から出力することが検討されている。その際、ユーザが現在聴いている楽曲コンテンツに関する評価情報を運転中に楽曲コンテンツ配信サーバに送信しようとするとき、車載装置の画面を見ながら評価情報を入力する必要がある。そのため、運転中はユーザの目線が車両前方から外れてしまい、安全上好ましくないという問題があった。
【００１２】
本発明は、このような問題を解決するために成されたものであり、走行上の安全を損なうような操作を行うことなく、現在聴いている楽曲コンテンツに関する評価情報を楽曲コンテンツ配信サーバに送信することができるようにすることを目的とする。
【課題を解決するための手段】
【００１３】
上記した課題を解決するために、本発明の車載装置では、ユーザの好みの程度が所定値であるとみなされる１または複数の楽曲コンテンツを特定するための、１または複数の楽曲コンテンツ特定情報から成る第１の属性情報と、楽曲コンテンツ配信サーバから携帯端末を介して受信した楽曲コンテンツに付随し複数の楽曲コンテンツ特定情報から成る第２の属性情報との間で所定の条件を満たすか否かに基づいて、受信した楽曲コンテンツに対するユーザの好みの程度を示す評価情報を生成して携帯端末に送信するようにしている。
特に、第１の属性情報は、楽曲コンテンツを記憶する楽曲コンテンツ記憶部に記憶されている当該楽曲コンテンツを特定するための複数の楽曲コンテンツ特定情報から成る情報であり、
所定の条件は、第２の属性情報を構成する複数の楽曲コンテンツ特定情報の少なくとも一部が、第１の属性情報を構成する複数の楽曲コンテンツ特定情報の少なくとも一部と合致することであり、
所定の条件を満たす場合にはユーザの好みの程度が高いことを示す所定値から成る評価情報を生成する一方、所定の条件を満たさない場合にはユーザの好みの程度が低いことを示す所定値から成る評価情報を生成するようにしている。
または、第１の属性情報は、楽曲コンテンツを記憶する楽曲コンテンツ記憶部に記憶されている当該楽曲コンテンツを特定するための複数の楽曲コンテンツ特定情報から成る第３の属性情報と、好みの程度が高いものとして前記ユーザにより指定された１または複数の楽曲コンテンツを特定するための情報であって、１または複数の楽曲コンテンツ特定情報から成る第４の属性情報と、好みの程度が低いものとして前記ユーザにより指定された１または複数の楽曲コンテンツを特定するための情報であって、１または複数の楽曲コンテンツ特定情報から成る第５の属性情報との３種類を含み、
所定の条件は、第２の属性情報を構成する複数の楽曲コンテンツ特定情報の少なくとも一部が、第３の属性情報を構成する複数の楽曲コンテンツ特定情報の少なくとも一部と合致するという第１の所定の条件と、第２の属性情報を構成する複数の楽曲コンテンツ特定情報の少なくとも一部が、第４の属性情報を構成する楽曲コンテンツ特定情報の全てと合致するという第２の所定の条件と、第２の属性情報を構成する複数の楽曲コンテンツ特定情報の少なくとも一部が、第５の属性情報を構成する楽曲コンテンツ特定情報の全てと合致するという第３の所定の条件との３種類が存在し、
第１の所定の条件を満たして第２の所定の条件および第３の所定の条件を満たさない場合、第１の所定の条件および第２の所定の条件を満たして第３の所定の条件を満たさない場合または第２の所定の条件を満たして第１の所定の条件および第３の所定の条件を満たさない場合、ユーザの好みの程度が高いことを示す所定値から成る評価情報を生成する一方、第３の所定の条件を満たして第１の所定の条件および第２の所定の条件を満たさない場合、第１の所定の条件、第２の所定の条件および第３の所定の条件を満たさない場合または第１の所定の条件および第３の所定の条件を満たして第２の所定の条件を満たさない場合、ユーザの好みの程度が低いことを示す所定値から成る評価情報を生成するようにしている。
または、第１の属性情報は、好みの程度が高いものとしてユーザにより指定された１または複数の楽曲コンテンツを特定するための情報であって、１または複数の楽曲コンテンツ特定情報から成る第４の属性情報と、好みの程度が低いものとしてユーザにより指定された１または複数の楽曲コンテンツを特定するための情報であって、１または複数の楽曲コンテンツ特定情報から成る第５の属性情報との２種類を含み、
所定の条件は、第２の属性情報を構成する複数の楽曲コンテンツ特定情報の少なくとも一部が、第４の属性情報を構成する楽曲コンテンツ特定情報の全てと合致するという第２の所定の条件と、第２の属性情報を構成する複数の楽曲コンテンツ特定情報の少なくとも一部が、第５の属性情報を構成する楽曲コンテンツ特定情報の全てと合致するという第３の所定の条件との２種類が存在し、
第２の所定の条件を満たして第３の所定の条件を満たさない場合、ユーザの好みの程度が高いことを示す所定値から成る評価情報を生成する一方、第３の所定の条件を満たして第２の所定の条件を満たさない場合または第２の所定の条件および第３の所定の条件を満たす場合、ユーザの好みの程度が低いことを示す所定値から成る評価情報を生成するようにしている。
または、ユーザの好みの程度が低いことを示す所定値から成る評価情報を連続で送信することを許容する回数を設定し、設定された回数を超えて、ユーザの好みの程度が低いことを示す所定値から成る評価情報を連続で送信することを禁止するように制御するようにしている。
【発明の効果】
【００１４】
上記のように構成した本発明によれば、ユーザが車載装置の画面を見ながら評価情報に関する入力を行わなくても、楽曲コンテンツ配信サーバから携帯端末に配信された楽曲コンテンツに付随する第２の属性情報から当該楽曲コンテンツに対する評価情報が自動的に生成され、携帯端末に送信される。そして、評価情報が携帯端末から楽曲コンテンツ配信サーバに送信される。そのため、現在聴いている楽曲コンテンツに関する評価情報を運転中に楽曲コンテンツ配信サーバに送信する場合に、ユーザの目線が車両前方から外れることはなくなる。よって、運転中であっても安全に、現在聴いている楽曲コンテンツに関する評価情報を楽曲コンテンツ配信サーバに送信することができる。
【図面の簡単な説明】
【００１５】
【図１】第１の実施形態による車載装置を備えた楽曲コンテンツ配信システムの構成例を示すブロック図である。
【図２】第１の実施形態の楽曲コンテンツ配信システムによる評価情報の送信動作例を示すフローチャートである。
【図３】第１の実施形態の車載装置による評価情報生成動作例を示すフローチャートである。
【図４】第２の実施形態による第２の条件および第３の条件の例を示す図である。
【図５】第２の実施形態による車載装置を備えた楽曲コンテンツ配信システムの構成例を示すブロック図である。
【図６】第２の実施形態による条件設定画面の遷移例を示す図である。
【図７】第２の実施形態による条件設定画面の遷移例を示す図である。
【図８】第２の実施形態の楽曲コンテンツ配信システムによる評価情報の送信動作例を示すフローチャートである。
【図９】第２の実施形態の車載装置による評価情報生成動作例を示すフローチャートである。
【図１０】第２の実施形態の車載装置による評価情報生成動作例を示すフローチャートである。
【図１１】第２の実施形態の車載装置による評価情報生成動作例を示すフローチャートである。
【図１２】第２の実施形態の車載装置による評価情報生成動作例を示すフローチャートである。
【図１３】第２の実施形態の車載装置による評価情報生成動作例を示すフローチャートである。
【図１４】第２の実施形態の車載装置による評価情報生成動作例を示すフローチャートである。
【図１５】第３の実施形態による車載装置を備えた楽曲コンテンツ配信システムの構成例を示すブロック図である。
【図１６】第３の実施形態の車載装置による評価情報生成動作例を示すフローチャートである。
【図１７】第１の実施形態による車載装置を備えた楽曲コンテンツ配信システムの構成の変形例を示すブロック図である。
【図１８】許容回数設定画面の例を示す図である。
【発明を実施するための形態】
【００１６】
以下、本発明の第１の実施形態を図面に基づいて説明する。図１は、本実施形態による楽曲コンテンツ配信システム１００の構成例を示すブロック図である。図１に示すように、楽曲コンテンツ配信システム１００は、楽曲コンテンツ配信サーバ１２０、携帯端末１４０および車載装置１６０を備えて構成されている。このうち、楽曲コンテンツ配信サーバ１２０は、例えば楽曲コンテンツ配信センタに設置される。携帯端末１４０および車載装置１６０は、例えば、ユーザが運転する車両内に設置される。そして、楽曲コンテンツ配信サーバ１２０、携帯端末１４０、車載装置１６０の間が有線または無線の通信回線にて接続されている。
【００１７】
まず、楽曲コンテンツ配信サーバ１２０の機能構成について説明する。図１に示すように、楽曲コンテンツ配信サーバ１２０は、楽曲コンテンツ記憶部２００、指定ラジオ局情報受信部２２０、評価情報受信部２４０、楽曲コンテンツ特定部２６０および楽曲コンテンツ送信部２８０を備えて構成されている。
【００１８】
楽曲コンテンツ記憶部２００は、複数の楽曲コンテンツを記憶する。各楽曲コンテンツには、アーティスト名、アルバム名および楽曲タイトル名（これら３つは、本発明の複数の楽曲コンテンツ特定情報に対応）などの属性情報（本発明の第２の属性情報に対応、以下「第２の属性情報」と称する）が付随している。また、各楽曲コンテンツには、その音楽的特徴（例えば、リズムやサウンドなど）を示す音楽的特徴情報が関連付けられている。音楽的特徴情報は、楽曲コンテンツ配信サーバ１２０を管理する楽曲コンテンツ配信業者が各楽曲コンテンツを分析することによって生成している。
【００１９】
指定ラジオ局情報受信部２２０は、携帯端末１４０から送信された指定ラジオ局情報を受信する。そして、指定ラジオ局情報受信部２２０は、受信した指定ラジオ局情報を楽曲コンテンツ特定部２６０に出力する。指定ラジオ局情報は、ユーザが車載装置１６０において指定したラジオ局を示す情報である（詳細については後述する）。
【００２０】
評価情報受信部２４０は、携帯端末１４０から送信された評価情報を受信する。そして、評価情報受信部２４０は、受信した評価情報を楽曲コンテンツ特定部２６０に出力する。評価情報は、楽曲コンテンツ配信サーバ１２０から携帯端末１４０を介して車載装置１６０に配信される楽曲コンテンツに対するユーザの好みの程度を示す情報である（詳細については後述する）。
【００２１】
楽曲コンテンツ特定部２６０は、指定ラジオ局情報受信部２２０から指定ラジオ局情報が出力された場合、楽曲コンテンツ記憶部２００を参照し、当該指定ラジオ局情報に含まれる属性情報（アーティスト名、アルバム名、楽曲タイトル名など）を付随情報の一つとして有する楽曲コンテンツをランダムに１つ抽出する。そして、楽曲コンテンツ特定部２６０は、抽出した楽曲コンテンツの音楽的特徴情報との類似度が高い音楽的特徴を有する楽曲コンテンツを携帯端末１４０に対する配信対象として特定する。
【００２２】
また、楽曲コンテンツ特定部２６０は、評価情報受信部２４０から評価情報が出力された場合、出力された評価情報に含まれる嗜好情報の値が「好き」であるとき、評価情報に含まれる楽曲タイトル名情報、アルバム名情報およびアーティスト名情報で特定される楽曲コンテンツの音楽的特徴情報を楽曲コンテンツ記憶部２００から取り出す。そして、楽曲コンテンツ特定部２６０は、取り出した音楽的特徴情報との類似度が高い音楽的特徴を有する楽曲コンテンツを携帯端末１４０に対する次の配信対象として特定する。
【００２３】
一方、評価情報に含まれる嗜好情報の値が「嫌い」または「スキップ」であるとき、楽曲コンテンツ特定部２６０は、評価情報に含まれる楽曲タイトル名情報、アルバム名情報およびアーティスト名情報で特定される楽曲コンテンツの音楽的特徴情報との類似度が低い音楽的特徴を有する楽曲コンテンツを携帯端末１４０に対する次の配信対象として特定する。
【００２４】
また、楽曲コンテンツ特定部２６０は、次の配信対象として特定した楽曲コンテンツを楽曲コンテンツ記憶部２００から取り出して楽曲コンテンツ送信部２８０に出力する。楽曲コンテンツ送信部２８０は、楽曲コンテンツ特定部２６０から出力された楽曲コンテンツを第２の属性情報と共に携帯端末１４０に送信する。
【００２５】
次に、携帯端末１４０の機能構成について説明する。図１に示すように、携帯端末１４０は、ラジオ局生成部３００、ラジオ局情報記憶部３２０、ラジオ局情報送信部３４０、指定ラジオ局情報受信部３６０、指定ラジオ局情報送信部３８０、楽曲コンテンツ受信部４００、楽曲コンテンツ送信部４２０、評価情報受信部４４０および評価情報送信部４６０を備えて構成されている。携帯端末１４０の各機能ブロック３００〜４６０は、携帯端末１４０にインストールされたアプリケーションプログラムにより実現される。
【００２６】
ラジオ局生成部３００は、操作部（図示せず、以下同じ）に対するユーザの入力操作によって、楽曲コンテンツ配信サーバ１２０から楽曲コンテンツの配信を受けるためのラジオ局を生成する。具体的には、ラジオ局生成部３００は、ユーザによって入力された属性情報（アーティスト名、アルバム名、楽曲タイトル名など）を含む情報を携帯端末１４０のアプリケーションプログラムが認識可能なラジオ局情報として生成する。そして、ラジオ局生成部３００は、生成したラジオ局情報をラジオ局情報記憶部３２０に記憶させる。
【００２７】
ラジオ局情報送信部３４０は、ラジオ局情報の送信要求を車載装置１６０から受けた場合、ラジオ局情報記憶部３２０に記憶されているラジオ局情報を車載装置１６０に送信する。ラジオ局情報記憶部３２０に記憶されているラジオ局情報が複数あれば、ラジオ局情報送信部３４０は、複数のラジオ局情報を車載装置１６０に送信する。この場合、車載装置１６０では、ラジオ局情報送信部３４０から送信された複数のラジオ局情報のうち何れかがユーザにより指定される。
【００２８】
指定ラジオ局情報受信部３６０は、車載装置１６０から送信された指定ラジオ局情報を受信する。そして、指定ラジオ局情報受信部３６０は、受信した指定ラジオ局情報を指定ラジオ局情報送信部３８０に出力する。指定ラジオ局情報送信部３８０は、指定ラジオ局情報受信部３６０から出力された指定ラジオ局情報を楽曲コンテンツ配信サーバ１２０の指定ラジオ局情報受信部２２０に送信する。そうすると、上述したように、指定ラジオ局情報に応じた楽曲コンテンツが楽曲コンテンツ配信サーバ１２０から携帯端末１４０に配信される。
【００２９】
楽曲コンテンツ受信部４００は、楽曲コンテンツ配信サーバ１２０の楽曲コンテンツ送信部２８０から送信された楽曲コンテンツおよび第２の属性情報を受信する。そして、楽曲コンテンツ受信部４００は、受信した楽曲コンテンツおよび第２の属性情報を楽曲コンテンツ送信部４２０に出力する。楽曲コンテンツ送信部４２０は、楽曲コンテンツ受信部４００から出力された楽曲コンテンツおよび第２の属性情報を車載装置１６０に送信する。
【００３０】
評価情報受信部４４０は、車載装置１６０から送信された評価情報を受信する。そして、評価情報受信部４４０は、受信した評価情報を評価情報送信部４６０に出力する。評価情報送信部４６０は、評価情報受信部４４０から出力された評価情報を楽曲コンテンツ配信サーバ１２０の評価情報受信部２４０に送信する。そうすると、上述したように、評価情報に応じた楽曲コンテンツが楽曲コンテンツ配信サーバ１２０から携帯端末１４０に配信される。
【００３１】
最後に、車載装置１６０の機能構成について説明する。図１に示すように、車載装置１６０は、操作受付部５００、楽曲コンテンツ記憶部５２０、再生制御部５４０、ラジオ局情報受信部５６０、表示制御部５８０、指定ラジオ局情報送信部６００、楽曲コンテンツ受信部６２０、評価情報生成部６４０および評価情報送信部６６０を備えて構成されている。なお、楽曲コンテンツ記憶部５２０は、本発明の第１の属性情報記憶部に対応する。
【００３２】
操作受付部５００は、操作部（図示せず、以下同じ）を介して、所望の楽曲コンテンツの再生を要求する操作を受け付ける。そして、操作受付部５００は、楽曲コンテンツの再生要求を再生制御部５４０に出力する。また、操作受付部５００は、操作部を介して、ラジオ局情報を表示することを要求する操作を受け付ける。そして、操作受付部５００は、ラジオ局情報の表示要求をラジオ局情報受信部５６０に出力する。また、操作受付部５００は、操作部を介して、表示制御部５８０により表示されているラジオ局情報の中から何れかのラジオ局情報を指定する操作を受け付ける。そして、操作受付部５００は、指定されたラジオ局情報を指定ラジオ局情報送信部６００に通知する。
【００３３】
楽曲コンテンツ記憶部５２０は、車載装置１６０に内蔵されたハードディスク等の記録媒体であり、複数の楽曲コンテンツを記憶する。各楽曲コンテンツには、アーティスト名、アルバム名および楽曲タイトル名などを含む第１の属性情報が付随している。本実施形態では、第１の属性情報は、例えば各楽曲コンテンツのＴＯＣ（Ｔａｂｌｅ  ｏｆ  Ｃｏｎｔｅｎｔｓ）情報をキーとして、車載装置１６０内で保有する図示しないＣＤＤＢ（Ｃｏｍｐａｃｔ  Ｄｉｓｃ  ＤａｔａＢａｓｅ）にアクセスして検索された情報である。ＣＤＤＢは、各種の音楽ＣＤや音楽ＤＶＤに収録された楽曲に関する情報（収録曲の楽曲タイトル名、アーティスト名、アルバム名、ジャンル、演奏時間など）を提供するためのデータベースである。なお、第１の属性情報は、音楽データの圧縮方式であるＭＰ３で保存された楽曲コンテンツに付与されたＩＤ３タグ情報であっても良い。
【００３４】
再生制御部５４０は、所望の楽曲コンテンツの再生要求が操作受付部５００から出力された場合、再生要求に係る楽曲コンテンツを楽曲コンテンツ記憶部５２０から取り出して再生するように制御する。また、再生制御部５４０は、楽曲コンテンツ受信部６２０から楽曲コンテンツが出力された場合、当該楽曲コンテンツを再生するように制御する。
【００３５】
ラジオ局情報受信部５６０は、ラジオ局情報の表示要求が操作受付部５００から出力された場合、ラジオ局情報を送信することを携帯端末１４０のラジオ局情報送信部３４０に要求する。そして、ラジオ局情報受信部５６０は、ラジオ局情報の送信要求に応答してラジオ局情報送信部３４０から送信されたラジオ局情報を受信する。
【００３６】
ラジオ局情報受信部５６０は、受信したラジオ局情報を内部のバッファメモリ（図示せず、以下同じ）に保持する。そして、ラジオ局情報受信部５６０は、バッファメモリに保持したラジオ局情報を表示制御部５８０に出力する。表示制御部５８０は、バッファメモリから出力されたラジオ局情報をディスプレイ（図示せず、以下同じ）に表示するように制御する。
【００３７】
指定ラジオ局情報送信部６００は、操作受付部５００からラジオ局情報が通知された場合、通知されたラジオ局情報をラジオ局情報受信部５６０のバッファメモリから取得し、その取得したラジオ局情報を指定ラジオ局情報として携帯端末１４０の指定ラジオ局情報受信部３６０に送信する。そうすると、上述したように、指定ラジオ局情報送信部６００から送信された指定ラジオ局情報に応じた楽曲コンテンツが、楽曲コンテンツ配信サーバ１２０から携帯端末１４０を介して車載装置１６０に送られてくる。
【００３８】
楽曲コンテンツ受信部６２０は、携帯端末１４０の楽曲コンテンツ送信部４２０から送信された楽曲コンテンツおよび第２の属性情報を受信する。そして、楽曲コンテンツ受信部６２０は、受信した楽曲コンテンツを再生制御部５４０に出力するとともに、一緒に受信した第２の属性情報を評価情報生成部６４０に出力する。
【００３９】
評価情報生成部６４０は、楽曲コンテンツ受信部６２０から第２の属性情報が出力された場合、その第２の属性情報に含まれるアーティスト名（本発明の第２の属性情報を構成する複数の楽曲コンテンツ特定情報の少なくとも一部に対応する）が、楽曲コンテンツ記憶部５２０に記憶されている第１の属性情報に含まれるアーティスト名（本発明の第１の属性情報を構成する複数の楽曲コンテンツ特定情報の少なくとも一部に対応する）と合致するか否かについて判定する。その判定結果に応じて、評価情報生成部６４０は、楽曲コンテンツ受信部６２０により受信された楽曲コンテンツに対するユーザの好みの程度を示す所定値から成る評価情報を生成する。
【００４０】
具体的には、評価情報生成部６４０は、楽曲コンテンツ受信部６２０から出力された第２の属性情報に含まれるアーティスト名が、楽曲コンテンツ記憶部５２０に記憶されている第１の属性情報に含まれるアーティスト名と合致すると判定した場合、当該第２の属性情報に含まれるアーティスト名、アルバム名および楽曲タイトル名をそれぞれ示すアーティスト名情報、アルバム名情報および楽曲タイトル名情報と、楽曲コンテンツ受信部６２０により受信された楽曲コンテンツに対するユーザの好みの程度を示す所定値として値が「好き」である嗜好情報とを含む評価情報を生成する。そして、評価情報生成部６４０は、生成した評価情報を評価情報送信部６６０に出力する。
【００４１】
また、評価情報生成部６４０は、楽曲コンテンツ受信部６２０から出力された第２の属性情報に含まれるアーティスト名が、楽曲コンテンツ記憶部５２０に記憶されている第１の属性情報に含まれるアーティスト名と合致しないと判定した場合、当該第２の属性情報に含まれるアーティスト名、アルバム名および楽曲タイトル名をそれぞれ示すアーティスト名情報、アルバム名情報および楽曲タイトル名情報と、楽曲コンテンツ受信部６２０により受信された楽曲コンテンツに対するユーザの好みの程度を示す所定値として値が「スキップ」である嗜好情報とを含む評価情報を生成する。そして、評価情報生成部６４０は、生成した評価情報を評価情報送信部６６０に出力する。
【００４２】
評価情報送信部６６０は、評価情報生成部６４０から出力された評価情報を携帯端末１４０の評価情報受信部４４０に送信する。そうすると、上述したように、評価情報送信部６６０から送信された評価情報に応じた楽曲コンテンツが、楽曲コンテンツ配信サーバ１２０から携帯端末１４０を介して車載装置１６０に配信される。
【００４３】
次に、第１の実施形態の楽曲コンテンツ配信システム１００による評価情報の送信動作について説明する。図２は、第１の実施形態の楽曲コンテンツ配信システム１００による評価情報の送信動作例を示すフローチャートである。図２に示すフローチャートは、携帯端末１４０の楽曲コンテンツ送信部４２０から車載装置１６０の楽曲コンテンツ受信部６２０に楽曲コンテンツおよび第２の属性情報が送信されることにより開始する。
【００４４】
まず、楽曲コンテンツ受信部６２０は、携帯端末１４０の楽曲コンテンツ送信部４２０から送信された楽曲コンテンツおよび第２の属性情報を受信する（ステップＳ１００）。そして、楽曲コンテンツ受信部６２０は、受信した楽曲コンテンツを再生制御部５４０に出力するとともに、一緒に受信した第２の属性情報を評価情報生成部６４０に出力する。次に、評価情報生成部６４０は、評価情報の生成処理を行う（ステップＳ１１０）。その後、処理はステップＳ１２０に遷移する。なお、評価情報の生成処理（ステップＳ１１０）については、図３のフローチャートを参照しながら説明する。
【００４５】
ステップＳ１２０では、評価情報送信部６６０は、ステップＳ１１０にて評価情報生成部６４０により生成された評価情報を携帯端末１４０の評価情報受信部４４０に送信する。評価情報受信部４４０は、評価情報送信部６６０から送信された評価情報を受信する（ステップＳ１３０）。
【００４６】
次に、評価情報送信部４６０は、評価情報受信部４４０により受信された評価情報を楽曲コンテンツ配信サーバ１２０の評価情報受信部２４０に送信する（ステップＳ１４０）。最後に、評価情報受信部２４０は、評価情報送信部４６０から送信された評価情報を受信する（ステップＳ１５０）。ステップＳ１５０の処理が完了することによって、楽曲コンテンツ配信システム１００は図２における処理を終了する。
【００４７】
次に、図２の評価情報生成処理（ステップＳ１１０）の詳細について説明する。図３は、図２の評価情報生成処理（ステップＳ１１０）の動作例を示すフローチャートである。まず、評価情報生成部６４０は、楽曲コンテンツ記憶部５２０に記憶されている第１の属性情報を１つ取り出す（ステップＳ２００）。次に、評価情報生成部６４０は、取り出した第１の属性情報に含まれるアーティスト名と、楽曲コンテンツ受信部６２０から出力された第２の属性情報に含まれるアーティスト名とが一致するか否かについて判定する（ステップＳ２１０）。
【００４８】
もし、一致すると評価情報生成部６４０にて判定した場合（ステップＳ２１０にてＹＥＳ）、評価情報生成部６４０は、楽曲コンテンツ受信部６２０から出力された第２の属性情報に含まれるアーティスト名、アルバム名および楽曲タイトル名をそれぞれ示すアーティスト名情報、アルバム名情報および楽曲タイトル名情報と、楽曲コンテンツ受信部６２０により受信された楽曲コンテンツに対するユーザの好みの程度を示す所定値として値が「好き」である嗜好情報とを含む評価情報を生成する（ステップＳ２２０）。ステップＳ２２０の処理が完了することによって、評価情報生成部６４０は図３における処理を終了する。
【００４９】
一方、一致しないと評価情報生成部６４０にて判定した場合（ステップＳ２１０にてＮＯ）、評価情報生成部６４０は、楽曲コンテンツ記憶部５２０に他の第１の属性情報が記憶されているか否かについて判定する（ステップＳ２３０）。もし、他の第１の属性情報が記憶されていると評価情報生成部６４０にて判定した場合（ステップＳ２３０にてＹＥＳ）、処理はステップＳ２００に遷移する。
【００５０】
一方、他の第１の属性情報が記憶されていないと評価情報生成部６４０にて判定した場合（ステップＳ２３０にてＮＯ）、評価情報生成部６４０は、楽曲コンテンツ受信部６２０から出力された楽曲コンテンツの第２の属性情報に含まれるアーティスト名、アルバム名および楽曲タイトル名をそれぞれ示すアーティスト名情報、アルバム名情報および楽曲タイトル名情報と、楽曲コンテンツ受信部６２０により受信された楽曲コンテンツに対するユーザの好みの程度を示す所定値として値が「スキップ」である嗜好情報とを含む評価情報を生成する（ステップＳ２４０）。ステップＳ２４０の処理が完了することによって、評価情報生成部６４０は図３における処理を終了する。
【００５１】
以上詳しく説明したように、第１の実施形態では、楽曲コンテンツ受信部６２０から出力された第２の属性情報に含まれるアーティスト名が、楽曲コンテンツ記憶部５２０に記憶されている第１の属性情報に含まれるアーティスト名と合致するか否かに応じて、楽曲コンテンツ受信部６２０により受信された楽曲コンテンツに対するユーザの好みの程度を示す所定値から成る評価情報を生成し、携帯端末１４０に送信するようにしている。
【００５２】
このように構成した第１の実施形態によれば、ユーザが車載装置１６０の画面を見ながら評価情報に関する入力を行わなくても、楽曲コンテンツ配信サーバ１２０から携帯端末１４０に配信された楽曲コンテンツに付随する第２の属性情報から当該楽曲コンテンツに対する評価情報が自動的に生成され、携帯端末１４０を介して楽曲コンテンツ配信サーバ１２０に送信される。そのため、現在聴いている楽曲コンテンツに関する評価情報を運転中に楽曲コンテンツ配信サーバ１２０に送信する場合に、ユーザの目線が車両前方から外れることはなくなる。よって、運転中であっても安全に、現在聴いている楽曲コンテンツに関する評価情報を楽曲コンテンツ配信サーバ１２０に送信することができる。
【００５３】
次に、本発明の第２の実施形態を図面に基づいて説明する。第１の実施形態では、楽曲コンテンツ受信部６２０から出力された第２の属性情報に含まれるアーティスト名が、楽曲コンテンツ記憶部５２０に記憶されている第１の属性情報に含まれるアーティスト名と合致するという条件（以下「第１の条件」と称する）を満たすか否かに応じて評価情報を生成し携帯端末１４０に送信していた。これに対し、第２の実施形態では、ユーザが、楽曲コンテンツに対して好みの程度が高いか否かを判定する際の判定基準となる第２の条件、楽曲コンテンツに対して好みの程度が低いか否かを判定する際の判定基準となる第３の条件をあらかじめ車載装置１６０′に設定しておく。そして、楽曲コンテンツ配信サーバ１２０から楽曲コンテンツが配信された場合、第１の条件に加えて、第２の条件および第３の条件を満たすか否かを判定し、その判定結果に応じて評価情報を生成する。これは、車載装置１６０内で同じアーティストの楽曲コンテンツを保有しているかを見るだけでは必ずしもユーザの嗜好を反映した評価情報を生成することができない場合があるため、ユーザが自ら設定した第２の条件および第３の条件を用いて当該ユーザの嗜好により近い評価情報を生成するためである。
【００５４】
図４（ａ）は、車載装置１６０′に設定された第２の条件の例を示す図である。図４（ｂ）は、車載装置１６０′に設定された第３の条件の例を示す図である。図４（ａ）に示す第２の条件は、楽曲コンテンツ配信サーバ１２０から配信された楽曲コンテンツが、「アーティスト１」により特定される楽曲コンテンツ、「アーティスト２」および「アルバム１」により特定される楽曲コンテンツ、「アーティスト３」、「アルバム２」および「楽曲タイトル１」により特定される楽曲コンテンツ、「アーティスト５」および「アルバム５」により特定される楽曲コンテンツの何れかに該当すれば評価情報の所定値を「好き」に設定するという条件である。例えば、楽曲コンテンツ配信サーバ１２０から「アーティスト５」および「アルバム５」により特定される楽曲コンテンツが配信された場合、第１の条件を満たさなくても（第１の実施形態では、ユーザの好みの程度が低いこと（スキップ）を示す評価情報が生成される）、図４（ａ）に示す第２の条件を満たすため、車載装置１６０′は、ユーザの好みの程度が高いことを示す所定値（好き）から成る評価情報を生成する。
【００５５】
図４（ｂ）に示す第３の条件は、楽曲コンテンツ配信サーバ１２０から配信された楽曲コンテンツが、「アーティスト２」により特定される楽曲コンテンツ、「アーティスト５」、「アルバム３」により特定される楽曲コンテンツ、「アーティスト５」、「アルバム４」および「楽曲タイトル１」により特定される楽曲コンテンツおよび「アーティスト６」により特定される楽曲コンテンツの何れかに該当すれば評価情報の所定値を「嫌い」に設定し、「アーティスト３」および「アルバム２」により特定される楽曲コンテンツに該当すれば評価情報の所定値を「スキップ」に設定するという条件である。例えば、楽曲コンテンツ配信サーバ１２０から「アーティスト６」により特定される楽曲コンテンツが配信された場合、第１の条件を満たしても（第１の実施形態では、ユーザの好みの程度が高いこと（好き）を示す評価情報が生成される）、図４（ｂ）に示す第３の条件を満たすため、車載装置１６０′は、ユーザの好みの程度が低いことを示す所定値（嫌い）から成る評価情報を生成する。
【００５６】
なお、第２の条件および第３の条件の両方を満たす場合には、アーティスト名、アルバム名、楽曲タイトル名の順序でより下位の階層まで設定された条件を優先して評価情報の生成に反映する。例えば、楽曲コンテンツ配信サーバ１２０から「アーティスト３」、「アルバム２」および「楽曲タイトル１」により特定される楽曲コンテンツが配信された場合、図４（ａ）に示す第２の条件および図４（ｂ）に示す第３の条件の両方を満たす。この場合、より下位の階層（楽曲タイトル名）まで設定された第２の条件を優先してユーザの好みの程度が高いこと（好き）を示す評価情報を生成する。
【００５７】
次に、第２の実施形態による楽曲コンテンツ配信システム１００の構成について説明する。図５は、第２の実施形態による楽曲コンテンツ配信システム１００の構成例を示すブロック図である。図５に示すように、楽曲コンテンツ配信システム１００の車載装置１６０′は、条件設定部６８０および条件設定情報記憶部７００を更に備えている。また、楽曲コンテンツ配信システム１００の車載装置１６０′は、図１の操作受付部５００、評価情報生成部６４０および評価情報送信部６６０の代わりに、操作受付部５００′、評価情報生成部６４０′および評価情報送信部６６０′をそれぞれ備えている。楽曲コンテンツ記憶部５２０および条件設定情報記憶部７００は、本発明の第１の属性情報記憶部に対応する。なお、この図５において、図１に示した符号と同一の符号を付したものは同一の機能を有するものであるので、ここでは重複する説明を省略する。
【００５８】
操作受付部５００′は、第１の実施形態で説明した操作受付部５００の機能に加えて、操作部を介して、楽曲コンテンツ配信サーバ１２０から配信される楽曲コンテンツに対して、ユーザの好みの程度が高いか否かを判定する際の判定基準となる第２の条件の設定操作を受け付ける。
【００５９】
また、操作受付部５００′は、操作部を介して、楽曲コンテンツ配信サーバ１２０から配信される楽曲コンテンツに対して、ユーザの好みの程度が低いか否かを判定する際の判定基準となる第３の条件の設定操作を受け付ける。操作受付部５００′は、受け付けた設定操作の内容を示す操作情報を条件設定部６８０に出力する。
【００６０】
条件設定部６８０は、操作受付部５００′から出力された操作情報に基づいて、上述した第２の条件を設定し、設定した第２の条件の内容を示す第２の条件設定情報を条件設定情報記憶部７００に記憶させる。第２の条件設定情報は、第２の条件を満たす楽曲コンテンツを特定するための、アーティスト名、アルバム名および楽曲タイトル名のうち少なくともアーティスト名から成る属性情報（本発明の第４の属性情報に対応、以下「第４の属性情報」と称する）を含む。
【００６１】
例えば、第２の条件としてアーティスト名のみを設定する操作情報が出力された場合、条件設定部６８０は、そのアーティスト名で特定される楽曲コンテンツに対するユーザの好みの程度は高いという条件を設定し、当該アーティスト名（本発明の１の楽曲コンテンツ特定情報に対応）から成る第４の属性情報を含む第２の条件設定情報を条件設定情報記憶部７００に記憶させる。
【００６２】
また、第２の条件としてアーティスト名およびアルバム名のみを設定する操作情報が出力された場合、条件設定部６８０は、そのアーティスト名およびアルバム名で特定される楽曲コンテンツに対するユーザの好みの程度は高いという条件を設定し、当該アーティスト名およびアルバム名（本発明の複数の楽曲コンテンツ特定情報に対応）から成る第４の属性情報を含む第２の条件設定情報を条件設定情報記憶部７００に記憶させる。
【００６３】
また、第２の条件としてアーティスト名、アルバム名および楽曲タイトルを設定する操作情報が出力された場合、条件設定部６８０は、そのアーティスト名、アルバム名および楽曲タイトル名で特定される楽曲コンテンツに対するユーザの好みの程度は高いという条件を設定し、当該アーティスト名、アルバム名および楽曲タイトル名（本発明の複数の楽曲コンテンツ特定情報に対応）から成る第４の属性情報を含む第２の条件設定情報を条件設定情報記憶部７００に記憶させる。
【００６４】
また、条件設定部６８０は、操作受付部５００′から出力された操作情報に基づいて、上述した第３の条件を設定し、設定した第３の条件の内容を示す第３の条件設定情報を条件設定情報記憶部７００に記憶させる。第３の条件設定情報は、第３の条件を満たす楽曲コンテンツを特定するための、アーティスト名、アルバム名、楽曲タイトル名およびアクションのうち少なくともアーティスト名から成る属性情報（本発明の第５の属性情報に対応、以下「第５の属性情報」と称する）と、その第３の条件を満たす場合の当該楽曲コンテンツに対する具体的な評価を示すアクションとを含む。
【００６５】
例えば、第３の条件としてアーティスト名およびアクションのみを設定する操作情報が出力された場合、条件設定部６８０は、そのアーティスト名で特定される楽曲コンテンツに対するユーザの好みの程度は低く、具体的な評価がアクション（嫌い、スキップまたはノーアクション）であるという条件を設定し、当該アーティスト名（本発明の１の楽曲コンテンツ特定情報に対応）から成る第５の属性情報とアクションとを含む第３の条件設定情報を条件設定情報記憶部７００に記憶させる。
【００６６】
また、第３の条件としてアーティスト名、アルバム名およびアクションのみを設定する操作情報が出力された場合、条件設定部６８０は、そのアーティスト名およびアルバム名で特定される楽曲コンテンツに対するユーザの好みの程度は低く、具体的な評価がアクション（嫌い、スキップまたはノーアクション）であるという条件を設定し、当該アーティスト名およびアルバム名（本発明の複数の楽曲コンテンツ特定情報に対応）から成る第５の属性情報とアクションとを含む第３の条件設定情報を条件設定情報記憶部７００に記憶させる。
【００６７】
また、第３の条件としてアーティスト名、アルバム名、楽曲タイトル名およびアクションを設定する操作情報が出力された場合、条件設定部６８０は、そのアーティスト名、アルバム名および楽曲タイトル名で特定される楽曲コンテンツに対するユーザの好みの程度は低く、具体的な評価がアクション（嫌い、スキップまたはノーアクション）であるという条件を設定し、当該アーティスト名、アルバム名および楽曲タイトル名（本発明の複数の楽曲コンテンツ特定情報に対応）から成る第５の属性情報とアクションとを含む第３の条件設定情報を条件設定情報記憶部７００に記憶させる。
【００６８】
次に、ユーザが第２の条件または第３の条件を設定する際にディスプレイに表示される条件設定画面の遷移について説明する。図６は、ユーザが第２の条件を設定する際に表示される条件設定画面の遷移例を示す図である。図７は、ユーザが第３の条件を設定する際に表示される条件設定画面の遷移例を示す図である。
【００６９】
図６（ａ）は、第２の条件および第３の条件の何れを設定するのかをユーザが選択するための画面である。図６（ａ）において、８０１は、第２の条件を設定することを選択するためのキーである。８０２は、第３の条件を設定することを選択するためのキーである。図６（ａ）の画面の表示中に、ユーザが図面で網掛けされているキー８０１を押下すると、図６（ｂ）の画面に遷移する。
【００７０】
図６（ｂ）は、ユーザの好みの程度が高いアーティスト名を第２の条件に設定するための画面である。図６（ｂ）において、８１０，８１１，８１２，８１３，８１４は、設定対象のアーティスト名をユーザが入力するための入力ボックスである。図６（ｂ）に示すように、ユーザの好みの程度が高いアーティスト名として、「Ｍｉｃｈａｅｌ  Ｊａｃｋｓｏｎ」、「Ｃｅｌｉｎａ  Ｄｉｏｎ」、「Ｍａｒｉａｈ  Ｃａｒｅｙ」が入力ボックス８１０，８１１，８１２にそれぞれ入力されている。
【００７１】
図６（ｂ）において、８１５，８１６，８１７，８１８，８１９は、入力ボックス８１０，８１１，８１２，８１３，８１４に入力したアーティスト名について、ユーザの好みの程度が高いアルバム名を第２の条件に設定するためのキーである。例えば、入力ボックス８１０に入力されているアーティスト名「Ｍｉｃｈａｅｌ  Ｊａｃｋｓｏｎ」について、ユーザの好みの程度が高いアルバム名を第２の条件に設定する場合、ユーザは図面で網掛けされているキー８１５を押下する。すると、図６（ｂ）の画面は、図６（ｃ）の画面に遷移する。
【００７２】
８２０，８２１，８２２，８２３，８２４は、入力ボックス８１０，８１１，８１２，８１３，８１４に入力されているアーティスト名について、ユーザの好みの程度が高いアルバム名および楽曲タイトル名を設定せず、当該アーティスト名について第２の条件の設定を完了するためのキーである。８２５は、図６（ａ）の画面に遷移するためのキーである。
【００７３】
図６（ｃ）は、ユーザの好みの程度が高いアルバム名を第２の条件に設定するための画面である。図６（ｃ）において、８３０，８３１，８３２，８３３，８３４は、設定対象のアルバム名をユーザが入力するための入力ボックスである。図６（ｃ）に示すように、アーティスト名「Ｍｉｃｈａｅｌ  Ｊａｃｋｓｏｎ」について、ユーザの好みの程度が高いアルバム名として、「Ｍｉｃｈａｅｌ」、「ＴＨＩＳ  ＩＳ  ＩＴ」、「ＫＩＮＧ  ＯＦ  ＰＯＰ」が入力ボックス８３０，８３１，８３２にそれぞれ入力されている。
【００７４】
図６（ｃ）において、８３５，８３６，８３７，８３８，８３９は、入力ボックス８３０，８３１，８３２，８３３，８３４に入力されているアルバム名について、ユーザの好みの程度が高い楽曲タイトル名を第２の条件に設定するためのキーである。例えば、入力ボックス８３１に入力されているアルバム名「ＴＨＩＳ  ＩＳ  ＩＴ」について、ユーザの好みの程度が高い楽曲タイトル名を第２の条件に設定する場合、ユーザは図面で網掛けされているキー８３６を押下する。すると、図６（ｃ）の画面は、図６（ｄ）の画面に遷移する。
【００７５】
８４０，８４１，８４２，８４３，８４４は、入力ボックス８３０，８３１，８３２，８３３，８３４に入力されているアルバム名について、ユーザの好みの程度が高い楽曲タイトル名を設定せず、当該アルバム名について第２の条件の設定を完了するためのキーである。８４５は、図６（ｂ）の画面に遷移するためのキーである。
【００７６】
図６（ｄ）は、ユーザの好みの程度が高い楽曲タイトル名を第２の条件に設定するための画面である。図６（ｄ）において、８５０，８５１，８５２，８５３，８５４は、設定対象の楽曲タイトル名をユーザが入力するための入力ボックスである。図６（ｄ）に示すように、アーティスト名「Ｍｉｃｈａｅｌ  Ｊａｃｋｓｏｎ」およびアルバム名「ＴＨＩＳ  ＩＳ  ＩＴ」について、ユーザの好みの程度が高い楽曲タイトル名として、「ＪＡＭ」、「Ｔｈｅｙ  ｄｏｎ’ｔ  ｃａｒｅ  ａｂｏｕｔ  ｕｓ」および「Ｃａｎ’ｔ  ｓｔｏｐ  Ｌｏｖｉｎｇ」が入力ボックス８５０，８５１，８５２にそれぞれ入力されている。
【００７７】
８５５，８５６，８５７，８５８，８５９は、入力ボックス８５０，８５１，８５２，８５３，８５４に入力されている楽曲タイトル名について第２の条件の設定を完了するためのキーである。例えば、入力ボックス８５２に入力されている楽曲タイトル名「Ｔｈｅｙ  ｄｏｎ’ｔ  ｃａｒｅ  ａｂｏｕｔ  ｕｓ」についての設定を完了する場合、ユーザは図面で網掛けされているキー８５６を押下する。８６０は、図６（ｃ）の画面に遷移するためのキーである。
【００７８】
図７（ａ）は、図６（ａ）と同様に、第２の条件および第３の条件の何れを設定するのかをユーザが選択するための画面である。図７（ａ）において、９０１は、第２の条件を設定することを選択するためのキーである。９０２は、第３の条件を設定することを選択するためのキーである。図７（ａ）の画面の表示中に、ユーザが図面で網掛けされているキー９０２を押下すると、図７（ｂ）の画面に遷移する。
【００７９】
図７（ｂ）は、ユーザの好みの程度が低いアーティスト名を第３の条件に設定するための画面である。図７（ｂ）において、９１０，９１１，９１２，９１３，９１４は、設定対象のアーティスト名をユーザが入力するための入力ボックスである。図７（ｂ）に示すように、ユーザの好みの程度が低いアーティスト名として、「Ｍｉｃｈａｅｌ  Ｊａｃｋｓｏｎ」、「Ｃｅｌｉｎａ  Ｄｉｏｎ」、「Ｍａｒｉａｈ  Ｃａｒｅｙ」が入力ボックス９１０，９１１，９１２にそれぞれ入力されている。
【００８０】
図７（ｂ）において、９１５，９１６，９１７，９１８，９１９は、入力ボックス９１０，９１１，９１２，９１３，９１４に入力されているアーティスト名について、ユーザの好みの程度が低いアルバム名を第３の条件に設定するためのキーである。例えば、入力ボックス９１０に入力されているアーティスト名「Ｍｉｃｈａｅｌ  Ｊａｃｋｓｏｎ」について、ユーザの好みの程度が低いアルバム名を第３の条件に設定する場合、ユーザは図面で網掛けされているキー９１５を押下する。すると、図７（ｂ）の画面は、図７（ｃ）の画面に遷移する。
【００８１】
９２０，９２１，９２２，９２３，９２４は、入力ボックス９１０，９１１，９１２，９１３，９１４に入力されているアーティスト名について、ユーザの好みの程度が低いアルバム名および楽曲タイトル名を設定せず、アクションを設定するためのキーである。ユーザがキー９２０，９２１，９２２，９２３，９２４を押下すると、図７（ｂ）の画面は、図７（ｅ）の画面に遷移する。９２５は、図７（ａ）の画面に遷移するためのキーである。
【００８２】
図７（ｃ）は、ユーザの好みの程度が低いアルバム名を第３の条件に設定するための画面である。図７（ｃ）において、９３０，９３１，９３２，９３３，９３４は、設定対象のアルバム名をユーザが入力するための入力ボックスである。図７（ｃ）に示すように、アーティスト名「Ｍｉｃｈａｅｌ  Ｊａｃｋｓｏｎ」について、ユーザの好みの程度が低いアルバム名として、「Ｍｉｃｈａｅｌ」、「ＴＨＩＳ  ＩＳ  ＩＴ」、「ＫＩＮＧ  ＯＦ  ＰＯＰ」が入力ボックス９３０，９３１，９３２にそれぞれ入力されている。
【００８３】
図７（ｃ）において、９３５，９３６，９３７，９３８，９３９は、入力ボックス９３０，９３１，９３２，９３３，９３４に入力されているアルバム名について、ユーザの好みの程度が低い楽曲タイトル名を第３の条件に設定するためのキーである。例えば、入力ボックス９３１に入力されているアルバム名「ＴＨＩＳ  ＩＳ  ＩＴ」について、ユーザの好みの程度が低い楽曲タイトル名を第３の条件に設定する場合、ユーザは図面で網掛けされているキー９３６を押下する。すると、図７（ｃ）の画面は、図７（ｄ）の画面に遷移する。
【００８４】
９４０，９４１，９４２，９４３，９４４は、入力ボックス９３０，９３１，９３２，９３３，９３４に入力されているアルバム名について、ユーザの好みの程度が低い楽曲タイトル名を設定せず、アクションを設定するためのキーである。ユーザがキー９４０，９４１，９４２，９４３，９４４を押下すると、図７（ｃ）の画面は、図７（ｅ）の画面に遷移する。９４５は、図７（ｂ）の画面に遷移するためのキーである。
【００８５】
図７（ｄ）は、ユーザの好みの程度が低い楽曲タイトル名を第３の条件に設定するための画面である。図７（ｄ）において、９５０，９５１，９５２，９５３，９５４は、設定対象の楽曲タイトル名をユーザが入力するための入力ボックスである。図７（ｄ）に示すように、アーティスト名「Ｍｉｃｈａｅｌ  Ｊａｃｋｓｏｎ」、アルバム名「ＴＨＩＳ  ＩＳ  ＩＴ」について、ユーザの好みの程度が低い楽曲タイトル名として、「ＪＡＭ」、「Ｔｈｅｙ  ｄｏｎ’ｔ  ｃａｒｅ  ａｂｏｕｔ  ｕｓ」、「Ｃａｎ’ｔ  ｓｔｏｐ  Ｌｏｖｉｎｇ」が入力ボックス９５０，９５１，９５２にそれぞれ入力されている。
【００８６】
９５５，９５６，９５７，９５８，９５９は、入力ボックス９５０，９５１，９５２，９５３，９５４に入力されている楽曲タイトル名について、アクションを設定するためのキーである。ユーザがキー９５５，９５６，９５７，９５８，９５９を押下すると、図７（ｄ）の画面は、図７（ｅ）の画面に遷移する。例えば、入力ボックス９５１に入力されている楽曲タイトル名「Ｔｈｅｙ  ｄｏｎ’ｔ  ｃａｒｅ  ａｂｏｕｔ  ｕｓ」について、アクションを第３の条件に設定する場合、ユーザは図面で網掛けされているキー９５６を押下する。９６０は、図７（ｃ）の画面に遷移するためのキーである。
【００８７】
図７（ｅ）は、アーティスト名などを設定した上でアクションを第３の条件に設定するための画面である。図７（ｅ）において、９６０はアクション（嫌い）を選択するためのラジオボタンである。９６１はアクション（スキップ）を選択するためのラジオボタンである。９６２はアクション（ノーアクション）を選択するためのラジオボタンである。９６３は、図７（ｅ）に遷移する直前の画面（図７（ｂ）、図７（ｃ）または図７（ｄ）の画面）に遷移するためのキーである。９６４は、選択したラジオボタンに対応するアクションの設定を確定するためのキーである。例えば、図７（ｅ）に示すように、アーティスト名「Ｍｉｃｈａｅｌ  Ｊａｃｋｓｏｎ」、アルバム名「ＴＨＩＳ  ＩＳ  ＩＴ」、楽曲タイトル名「Ｔｈｅｙ  ｄｏｎ’ｔ  ｃａｒｅ  ａｂｏｕｔ  ｕｓ」について、アクション（嫌い）を第３の条件に設定する場合、ユーザは図面で網掛けされているラジオボタン９６０を選択してキー９６４を押下する。
【００８８】
評価情報生成部６４０′は、楽曲コンテンツ受信部６２０から第２の属性情報が出力された場合、その第２の属性情報、楽曲コンテンツ記憶部５２０に記憶されている第１の属性情報（本発明の第３の属性情報に対応する）および条件設定情報記憶部７００に記憶されている第２の条件設定情報および第３の条件設定情報に基づいて、第２の属性情報に含まれるアーティスト名、アルバム名および楽曲タイトル名をそれぞれ示すアーティスト名情報、アルバム名情報および楽曲タイトル名情報と、値が「好き」、「嫌い」、「スキップ」または「ノーアクション」である嗜好情報とを含む評価情報を生成する。この評価情報生成部６４０′による評価情報生成処理については、図９〜１４のフローチャートで詳細に説明する。そして、評価情報生成部６４０′は、生成した評価情報を評価情報送信部６６０′に出力する。
【００８９】
評価情報送信部６６０′は、評価情報生成部６４０′から出力された評価情報に含まれる嗜好情報の値が「ノーアクション」であるか否かについて判定する。もし、嗜好情報の値が「ノーアクション」でないと判定した場合、評価情報送信部６６０′は、評価情報生成部６４０′から出力された評価情報を携帯端末１４０の評価情報受信部４４０に送信する。一方、嗜好情報の値が「ノーアクション」であると判定した場合、評価情報送信部６６０′は、評価情報生成部６４０′から出力された評価情報を携帯端末１４０の評価情報受信部４４０に送信しない。
【００９０】
次に、第２の実施形態の楽曲コンテンツ配信システム１００による評価情報の送信動作について説明する。図８は、第２の実施形態の楽曲コンテンツ配信システム１００による評価情報の送信動作例を示すフローチャートである。図８に示すフローチャートは、携帯端末１４０の楽曲コンテンツ送信部４２０から車載装置１６０′の楽曲コンテンツ受信部６２０に楽曲コンテンツおよび第２の属性情報が送信されることにより開始する。
【００９１】
まず、楽曲コンテンツ受信部６２０は、携帯端末１４０の楽曲コンテンツ送信部４２０から送信された楽曲コンテンツおよび第２の属性情報を受信する（ステップＳ３００）。そして、楽曲コンテンツ受信部６２０は、受信した楽曲コンテンツを再生制御部５４０に出力するとともに、一緒に受信した第２の属性情報を評価情報生成部６４０′に出力する。次に、評価情報生成部６４０′は、評価情報の生成処理を行う（ステップＳ３１０）。その後、処理はステップＳ３２０に遷移する。なお、評価情報の生成処理（ステップＳ３１０）については、図９〜１４のフローチャートを参照しながら説明する。
【００９２】
ステップＳ３２０では、評価情報送信部６６０′は、ステップＳ３１０にて評価情報生成部６４０′により生成された評価情報に含まれる嗜好情報の値が「ノーアクション」であるか否かについて判定する。もし、嗜好情報の値が「ノーアクション」であると評価情報送信部６６０′にて判定した場合（ステップＳ３２０にてＹＥＳ）、楽曲コンテンツ配信システム１００は図８における処理を終了する。
【００９３】
一方、嗜好情報の値が「ノーアクション」でないと評価情報送信部６６０′にて判定した場合（ステップＳ３２０にてＮＯ）、評価情報送信部６６０′は、評価情報生成部６４０′により生成された評価情報を携帯端末１４０の評価情報受信部４４０に送信する（ステップＳ３３０）。評価情報受信部４４０は、評価情報送信部６６０′から送信された評価情報を受信する（ステップＳ３４０）。
【００９４】
次に、評価情報送信部４６０は、評価情報受信部４４０により受信された評価情報を楽曲コンテンツ配信サーバ１２０の評価情報受信部２４０に送信する（ステップＳ３５０）。最後に、評価情報受信部２４０は、評価情報送信部４６０から送信された評価情報を受信する（ステップＳ３６０）。ステップＳ３６０の処理が完了することによって、楽曲コンテンツ配信システム１００は図８における処理を終了する。
【００９５】
次に、図８の評価情報生成処理（ステップＳ３１０）の詳細について説明する。図９〜１４は、図８の評価情報生成処理（ステップＳ３１０）の動作例を示すフローチャートである。まず、評価情報生成部６４０′は、楽曲コンテンツ記憶部５２０に記憶されている第１の属性情報を１つ取り出す（ステップＳ４００）。次に、評価情報生成部６４０′は、取り出した第１の属性情報に含まれるアーティスト名と、楽曲コンテンツ受信部６２０から出力された第２の属性情報に含まれるアーティスト名とが一致するか否かについて判定する（ステップＳ４１０）。
【００９６】
もし、一致すると評価情報生成部６４０′にて判定した場合（ステップＳ４１０にてＹＥＳ）、評価情報生成部６４０′は、楽曲コンテンツ受信部６２０から出力された第２の属性情報に含まれるアーティスト名、アルバム名および楽曲タイトル名をそれぞれ示すアーティスト名情報、アルバム名情報および楽曲タイトル名情報と、楽曲コンテンツ受信部６２０により受信された楽曲コンテンツに対するユーザの好みの程度を示す所定値として値が「好き」である嗜好情報とを含む評価情報を生成する（ステップＳ４２０）。
【００９７】
ここでは、車載装置１６０′中で保有している楽曲コンテンツのアーティスト名と一致するので嗜好情報の値を「好き」としたが、例外的に、楽曲コンテンツ受信部６２０により受信された楽曲コンテンツが第３の条件を満たす可能性がある。そのため、ステップＳ４３０〜Ｓ５００でその第３の条件を満たすかの例外判定を行う。
【００９８】
すなわち、評価情報生成部６４０′は、好みの程度が低いか否かを判定するための第３の条件設定情報を条件設定情報記憶部７００から１つ取り出す（ステップＳ４３０）。次に、評価情報生成部６４０′は、第３の条件設定情報に含まれるアーティスト名と、楽曲コンテンツ受信部６２０から出力された第２の属性情報に含まれるアーティスト名とが一致するか否かについて判定する（ステップＳ４４０）。
【００９９】
もし、一致しないと評価情報生成部６４０′にて判定した場合（ステップＳ４４０にてＮＯ）、評価情報生成部６４０′は、条件設定情報記憶部７００に他の第３の条件設定情報が記憶されているか否かについて判定する（ステップＳ５００）。もし、他の第３の条件設定情報が記憶されていると評価情報生成部６４０′にて判定した場合（ステップＳ５００にてＹＥＳ）、処理はステップＳ４３０に遷移する。一方、他の第３の条件設定情報が記憶されていないと評価情報生成部６４０′にて判定した場合（ステップＳ５００にてＮＯ）、楽曲コンテンツ受信部６２０により受信された楽曲コンテンツが第３の条件を満たさないので、評価情報生成部６４０′は図９〜１４における処理を終了する。
【０１００】
一方、一致すると評価情報生成部６４０′にて判定した場合（ステップＳ４４０にてＹＥＳ）、評価情報生成部６４０′は、第３の条件設定情報にアルバム名が含まれているか否かを確認することによって、アルバム名が設定されている否かについて判定する（ステップＳ４５０）。もし、第３の条件にアルバム名が設定されていないと評価情報生成部６４０′にて判定した場合（ステップＳ４５０にてＮＯ）、処理は図１０のステップＳ６００に遷移する。つまり、第３の条件でアルバム名の設定がないということは、そのアーティストで特定される楽曲コンテンツに対するユーザの好みの程度が低いことを示している。しかし、例外的に、楽曲コンテンツ受信部６２０により受信された楽曲コンテンツが、好みの程度が高いか否かを判定するための第２の条件を満たす可能性がある。そのため、ステップＳ６００に遷移してその第２の条件を満たすかの例外判定を行う。
【０１０１】
ステップＳ６００では、評価情報生成部６４０′は、条件設定情報記憶部７００を参照し、ステップＳ４３０にて取り出した第３の条件設定情報とアーティスト名が一致し、かつ、アルバム名が含まれている第２の条件設定情報が存在するか否かについて判定する。もし、そのような第２の条件設定情報が存在しないと評価情報生成部６４０′にて判定した場合（ステップＳ６００にてＮＯ）、処理はステップＳ６６０に遷移する。
【０１０２】
一方、上記のような第２の条件設定情報が存在すると評価情報生成部６４０′にて判定した場合（ステップＳ６００にてＹＥＳ）、評価情報生成部６４０′は、その第２の条件設定情報を条件設定情報記憶部７００から取り出す（ステップＳ６１０）。次に、評価情報生成部６４０′は、取り出した第２の条件設定情報に含まれるアルバム名と、楽曲コンテンツ受信部６２０から出力された第２の属性情報に含まれるアルバム名とが一致するか否かについて判定する（ステップＳ６２０）。
【０１０３】
もし、一致しないと評価情報生成部６４０′にて判定した場合（ステップＳ６２０にてＮＯ）、評価情報生成部６４０′は、ステップＳ６１０にて取り出した第２の条件設定情報とアーティスト名が一致し、かつ、アルバム名が含まれている他の第２の条件設定情報が条件設定情報記憶部７００に記憶されているか否かについて判定する（ステップＳ６５０）。もし、他の第２の条件設定情報が記憶されていると評価情報生成部６４０′にて判定した場合（ステップＳ６５０にてＹＥＳ）、処理はステップＳ６１０に遷移する。
【０１０４】
一方、他の第２の条件設定情報が記憶されていないと評価情報生成部６４０′にて判定した場合（ステップＳ６５０にてＮＯ）、評価情報生成部６４０′は、ステップＳ４２０にて生成した評価情報に含まれる嗜好情報の値を、ステップＳ４３０にて取り出した第３の条件設定情報に含まれるアクション（嫌い、スキップおよびノーアクションの何れか）に更新する（ステップＳ６６０）。ステップＳ６６０の処理が完了することによって、評価情報生成部６４０′は図９〜１４における処理を終了する。
【０１０５】
一方、アルバム名が一致すると評価情報生成部６４０′にて判定した場合（ステップＳ６２０にてＹＥＳ）、評価情報生成部６４０′は、ステップＳ６１０にて取り出した第２の条件設定情報に楽曲タイトル名が含まれているか否かを確認することによって、第２の条件に楽曲タイトル名が設定されているか否かについて判定する（ステップＳ６３０）。もし、楽曲タイトル名が設定されていないと評価情報生成部６４０′にて判定した場合（ステップＳ６３０にてＮＯ）、評価情報生成部６４０′は図９〜１４における処理を終了する。つまり、ステップＳ４２０で評価情報に含まれる嗜好情報の値に設定した「好き」がそのまま維持される。
【０１０６】
一方、楽曲タイトル名が設定されていると評価情報生成部６４０′にて判定した場合（ステップＳ６３０にてＹＥＳ）、評価情報生成部６４０′は、第２の条件設定情報に含まれる楽曲タイトル名と、楽曲コンテンツ受信部６２０から出力された第２の属性情報に含まれる楽曲タイトル名とが一致するか否かについて判定する（ステップＳ６４０）。
【０１０７】
もし、一致しないと評価情報生成部６４０′にて判定した場合（ステップＳ６４０にてＮＯ）、処理はステップＳ６５０に遷移する。一方、一致すると評価情報生成部６４０′にて判定した場合（ステップＳ６４０にてＹＥＳ）、評価情報生成部６４０′は図９〜１４における処理を終了する。つまり、ステップＳ４２０で評価情報に含まれる嗜好情報の値に設定した「好き」がそのまま維持される。
【０１０８】
図９のステップＳ４５０における判定処理に戻り、第３の条件にアルバム名が設定されていると評価情報生成部６４０′にて判定した場合（ステップＳ４５０にてＹＥＳ）、評価情報生成部６４０′は、ステップＳ４３０にて取り出した第３の条件設定情報に含まれるアルバム名と、楽曲コンテンツ受信部６２０から出力された第２の属性情報に含まれるアルバム名とが一致するか否かについて判定する（ステップＳ４６０）。もし、一致しないと評価情報生成部６４０′にて判定した場合（ステップＳ４６０にてＮＯ）、処理はステップＳ５００に遷移する。
【０１０９】
一方、一致すると評価情報生成部６４０′にて判定した場合（ステップＳ４６０にてＹＥＳ）、評価情報生成部６４０′は、第３の条件設定情報に楽曲タイトル名が含まれているか否かを確認することによって第３の条件に楽曲タイトル名が設定されているか否かについて判定する（ステップＳ４７０）。もし、楽曲タイトル名が設定されていないと評価情報生成部６４０′にて判定した場合（ステップＳ４７０にてＮＯ）、処理は図１１のステップＳ７００に遷移する。つまり、第３の条件に楽曲タイトル名の設定がないということは、そのアーティスト、アルバム名で特定される楽曲コンテンツに対するユーザの好みの程度が低いことを示している。しかし、例外的に、楽曲コンテンツ受信部６２０により受信された楽曲コンテンツが、好みの程度が高いか否かを判定するための第２の条件を満たす可能性がある。そのため、ステップＳ７００に遷移してその第２の条件を満たすかの例外判定を行う。
【０１１０】
ステップＳ７００では、評価情報生成部６４０′は、条件設定情報記憶部７００を参照し、ステップＳ４３０にて取り出した第３の条件設定情報とアーティスト名およびアルバム名が一致し、かつ、楽曲タイトル名が含まれている第２の条件設定情報が存在するか否かについて判定する。もし、そのような第２の条件設定情報が存在しないと評価情報生成部６４０′にて判定した場合（ステップＳ７００にてＮＯ）、処理はステップＳ７４０に遷移する。
【０１１１】
一方、上記のような第２の条件設定情報が存在すると評価情報生成部６４０′にて判定した場合（ステップＳ７００にてＹＥＳ）、評価情報生成部６４０′は、その第２の条件設定情報を条件設定情報記憶部７００から取り出す（ステップＳ７１０）。次に、評価情報生成部６４０′は、取り出した第２の条件設定情報に含まれる楽曲タイトル名と、楽曲コンテンツ受信部６２０から出力された第２の属性情報に含まれる楽曲タイトル名とが一致するか否かについて判定する（ステップＳ７２０）。
【０１１２】
もし、一致すると評価情報生成部６４０′にて判定した場合（ステップＳ７２０にてＹＥＳ）、評価情報生成部６４０′は図９〜１４における処理を終了する。つまり、ステップＳ４２０で評価情報に含まれる嗜好情報の値に設定した「好き」がそのまま維持される。
【０１１３】
一方、一致しないと評価情報生成部６４０′にて判定した場合（ステップＳ７２０にてＮＯ）、評価情報生成部６４０′は、ステップＳ７１０にて取り出した第２の条件設定情報とアーティスト名およびアルバム名が一致し、かつ、楽曲タイトル名が設定されている他の第２の条件設定情報が条件設定情報記憶部７００に記憶されているか否かについて判定する（ステップＳ７３０）。もし、記憶されていると評価情報生成部６４０′にて判定した場合（ステップＳ７３０にてＹＥＳ）、処理はステップＳ７１０に遷移する。
【０１１４】
一方、記憶されていないと評価情報生成部６４０′にて判定した場合（ステップＳ７３０にてＮＯ）、評価情報生成部６４０′は、ステップＳ４２０にて生成した評価情報に含まれる嗜好情報の値を、ステップＳ４３０にて取り出した第３の条件設定情報に含まれるアクション（嫌い、スキップおよびノーアクションの何れか）に更新する（ステップＳ７４０）。ステップＳ７４０の処理が完了することによって、評価情報生成部６４０′は図９〜１４における処理を終了する。
【０１１５】
図９のステップＳ４７０における判定処理に戻り、第３の条件に楽曲タイトル名が設定されていると評価情報生成部６４０′にて判定した場合（ステップＳ４７０にてＹＥＳ）、評価情報生成部６４０′は、ステップＳ４３０にて取り出した第３の条件設定情報に含まれる楽曲タイトル名と、楽曲コンテンツ受信部６２０から出力された第２の属性情報に含まれる楽曲タイトル名とが一致するか否かについて判定する（ステップＳ４８０）。
【０１１６】
もし、一致しないと評価情報生成部６４０′にて判定した場合（ステップＳ４８０にてＮＯ）、処理はステップＳ５００に遷移する。一方、一致すると評価情報生成部６４０′にて判定した場合（ステップＳ４８０にてＹＥＳ）、評価情報生成部６４０′は、ステップＳ４２０にて生成した評価情報に含まれる嗜好情報の値を、ステップＳ４３０にて取り出した第３の条件設定情報に含まれるアクション（嫌い、スキップおよびノーアクションの何れか）に更新する（ステップＳ４９０）。ステップＳ４９０の処理が完了することによって、評価情報生成部６４０′は図９〜１４における処理を終了する。
【０１１７】
ステップＳ４１０における判定処理に戻り、アーティスト名が一致しないと評価情報生成部６４０′にて判定した場合（ステップＳ４１０にてＮＯ）、評価情報生成部６４０′は、楽曲コンテンツ記憶部５２０に他の第１の属性情報が記憶されているか否かについて判定する（ステップＳ５１０）。もし、他の第１の属性情報が記憶されていると評価情報生成部６４０′にて判定した場合（ステップＳ５１０にてＹＥＳ）、処理はステップＳ４００に遷移する。
【０１１８】
一方、他の第１の属性情報が記憶されていないと評価情報生成部６４０′にて判定した場合（ステップＳ５１０にてＮＯ）、評価情報生成部６４０′は、楽曲コンテンツ受信部６２０から出力された第２の属性情報に含まれるアーティスト名、アルバム名および楽曲タイトル名をそれぞれ示すアーティスト名情報、アルバム名情報および楽曲タイトル名情報と、楽曲コンテンツ受信部６２０により受信された楽曲コンテンツに対するユーザの好みの程度を示す所定値として値が「スキップ」である嗜好情報とを含む評価情報を生成する（ステップＳ５２０）。その後、処理は図１２のステップＳ８００に遷移する。ステップＳ５２０では、車載装置１６０′中で保有している楽曲コンテンツのアーティスト名と一致しないので嗜好情報の値を「スキップ」としたが、例外的に、楽曲コンテンツ受信部６２０により受信された楽曲コンテンツが第３の条件を満たす可能性がある。そのため、図１２のステップＳ８００〜Ｓ８７０でその例外判定を行う。
【０１１９】
すなわち、評価情報生成部６４０′は、好みの程度が高いか否かを判定するための第２の条件設定情報を条件設定情報記憶部７００から１つ取り出す（ステップＳ８００）。次に、評価情報生成部６４０′は、取り出した第２の条件設定情報に含まれるアーティスト名と、楽曲コンテンツ受信部６２０から出力された第２の属性情報に含まれるアーティスト名とが一致するか否かについて判定する（ステップＳ８１０）。
【０１２０】
もし、一致しないと評価情報生成部６４０′にて判定した場合（ステップＳ８１０にてＮＯ）、評価情報生成部６４０′は、条件設定情報記憶部７００に他の第２の条件設定情報が記憶されているか否かについて判定する（ステップＳ８７０）。もし、他の第２の条件設定情報が記憶されていると評価情報生成部６４０′にて判定した場合（ステップＳ８７０にてＹＥＳ）、処理はステップＳ８００に遷移する。
【０１２１】
一方、他の第２の条件設定情報が記憶されていないと評価情報生成部６４０′にて判定した場合（ステップＳ８７０にてＮＯ）、処理はステップＳ８８０に遷移する。ステップＳ５２０では、車載装置１６０′中で保有している楽曲コンテンツのアーティスト名と一致しないので嗜好情報の値を「スキップ」としたが、例外的に、楽曲コンテンツ受信部６２０により受信された楽曲コンテンツが第３の条件を満たし、その第３の条件に設定されたアクションが「スキップ」と異なる可能性がある。そのため、ステップＳ８８０〜Ｓ９５０でその例外判定を行う。
【０１２２】
すなわち、評価情報生成部６４０′は、第３の条件設定情報を条件設定情報記憶部７００から１つ取り出す（ステップＳ８８０）。次に、評価情報生成部６４０′は、取り出した第３の条件設定情報に含まれるアーティスト名と、楽曲コンテンツ受信部６２０から出力された第２の属性情報に含まれるアーティスト名とが一致するか否かについて判定する（ステップＳ８９０）。
【０１２３】
もし、一致しないと評価情報生成部６４０′にて判定した場合（ステップＳ８９０にてＮＯ）、評価情報生成部６４０′は、条件設定情報記憶部７００に他の第３の条件設定情報が記憶されているか否かについて判定する（ステップＳ９５０）。もし、他の第３の条件設定情報が記憶されていると評価情報生成部６４０′にて判定した場合（ステップＳ９５０にてＹＥＳ）、処理はステップＳ８８０に遷移する。一方、他の第３の条件設定情報が記憶されていないと評価情報生成部６４０′にて判定した場合（ステップＳ９５０にてＮＯ）、評価情報生成部６４０′は図９〜１４における処理を終了する。つまり、ステップＳ５２０で評価情報に含まれる嗜好情報の値に設定した「スキップ」がそのまま維持される。
【０１２４】
一方、アーティスト名が一致すると評価情報生成部６４０′にて判定した場合（ステップＳ８９０にてＹＥＳ）、評価情報生成部６４０′は、ステップＳ８８０にて取り出した第３の条件設定情報にアルバム名が含まれているか否かを確認することによって、第３の条件にアルバム名が設定されているか否かについて判定する（ステップＳ９００）。もし、アルバム名が設定されていないと評価情報生成部６４０′にて判定した場合（ステップＳ９００にてＮＯ）、処理はステップＳ９４０に遷移する。
【０１２５】
一方、アルバム名が設定されていると評価情報生成部６４０′にて判定した場合（ステップＳ９００にてＹＥＳ）、評価情報生成部６４０′は、ステップＳ８８０にて取り出した第３の条件設定情報に含まれるアルバム名と、楽曲コンテンツ受信部６２０から出力された第２の属性情報に含まれるアルバム名とが一致するか否かについて判定する（ステップＳ９１０）。もし、一致しないと評価情報生成部６４０′にて判定した場合（ステップＳ９１０にてＮＯ）、処理はステップＳ９５０に遷移する。
【０１２６】
一方、一致すると評価情報生成部６４０′にて判定した場合（ステップＳ９１０にてＹＥＳ）、評価情報生成部６４０′は、ステップＳ８８０にて取り出した第３の条件設定情報に楽曲タイトル名が含まれているか否かを確認することによって、第３の条件に楽曲タイトル名が設定されているか否かについて判定する（ステップＳ９２０）。もし、楽曲タイトル名が設定されていないと評価情報生成部６４０′にて判定した場合（ステップＳ９２０にてＮＯ）、処理はステップＳ９４０に遷移する。
【０１２７】
一方、楽曲タイトル名が設定されていると評価情報生成部６４０′にて判定した場合（ステップＳ９２０にてＹＥＳ）、評価情報生成部６４０′は、ステップＳ８８０にて取り出した第３の条件設定情報に含まれる楽曲タイトル名と、楽曲コンテンツ受信部６２０から出力された第２の属性情報に含まれる楽曲タイトル名とが一致するか否かについて判定する（ステップＳ９３０）。もし、一致しないと評価情報生成部６４０′にて判定した場合（ステップＳ９３０にてＮＯ）、処理はステップＳ９５０に遷移する。
【０１２８】
一方、一致すると評価情報生成部６４０′にて判定した場合（ステップＳ９３０にてＹＥＳ）、評価情報生成部６４０′は、ステップＳ５２０にて生成した評価情報に含まれる嗜好情報の値を、ステップＳ８８０にて取り出した第３の条件設定情報に含まれるアクション（嫌い、スキップおよびノーアクションの何れか）に更新する（ステップＳ９４０）。ステップＳ９４０の処理が完了することによって、評価情報生成部６４０′は図９〜１４における処理を終了する。
【０１２９】
ステップＳ８１０における判定処理に戻り、アーティスト名が一致すると評価情報生成部６４０′にて判定した場合（ステップＳ８１０にてＹＥＳ）、評価情報生成部６４０′は、ステップＳ８００にて取り出した第２の条件設定情報にアルバム名が含まれているか否かを確認することによって、第２の条件にアルバム名が設定されているか否かについて判定する（ステップＳ８２０）。もし、アルバム名が設定されていないと評価情報生成部６４０′にて判定した場合（ステップＳ８２０にてＮＯ）、処理は図１３のステップＳ１０００に遷移する。第２の条件でアルバム名の設定がないということは、そのアーティスト名で特定される楽曲コンテンツに対するユーザの好みの程度が高いことを示している。しかし、例外的に、楽曲コンテンツ受信部６２０により受信された楽曲コンテンツが第３の条件を満たす可能性がある。そのため、ステップＳ１０００に遷移してその第３の条件を満たすかの例外判定を行う。
【０１３０】
ステップＳ１０００では、評価情報生成部６４０′は、条件設定情報記憶部７００を参照し、ステップＳ８００にて取り出した第２の条件設定情報とアーティスト名が一致し、かつ、アルバム名が含まれている第３の条件設定情報が存在するか否かについて判定する。もし、そのような第３の条件設定情報が存在しないと評価情報生成部６４０′にて判定した場合（ステップＳ１０００にてＮＯ）、処理はステップＳ１０７０に遷移する。
【０１３１】
一方、上記のような第３の条件設定情報が存在すると評価情報生成部６４０′にて判定した場合（ステップＳ１０００にてＹＥＳ）、評価情報生成部６４０′は、その第３の条件設定情報を条件設定情報記憶部７００から取り出す（ステップＳ１０１０）。次に、評価情報生成部６４０′は、取り出した第３の条件設定情報に含まれるアルバム名と、楽曲コンテンツ受信部６２０から出力された第２の属性情報に含まれるアルバム名とが一致するか否かについて判定する（ステップＳ１０２０）。
【０１３２】
もし、一致しないと評価情報生成部６４０′にて判定した場合（ステップＳ１０２０にてＮＯ）、評価情報生成部６４０′は、ステップＳ１０１０にて取り出した第３の条件設定情報とアーティスト名が一致し、かつ、アルバム名が含まれている他の第３の条件設定情報が条件設定情報記憶部７００に記憶されているか否かについて判定する（ステップＳ１０６０）。もし、他の第３の条件設定情報が記憶されていると評価情報生成部６４０′にて判定した場合（ステップＳ１０６０にてＹＥＳ）、処理はステップＳ１０１０に遷移する。
【０１３３】
一方、他の第３の条件設定情報が記憶されていないと評価情報生成部６４０′にて判定した場合（ステップＳ１０６０にてＮＯ）、評価情報生成部６４０′は、図９のステップＳ５２０にて生成した評価情報に含まれる嗜好情報の値を「好き」に更新する（ステップＳ１０７０）。ステップＳ１０７０の処理が完了することによって、評価情報生成部６４０′は図９〜１４における処理を終了する。
【０１３４】
一方、アルバム名が一致すると評価情報生成部６４０′にて判定した場合（ステップＳ１０２０にてＹＥＳ）、評価情報生成部６４０′は、第３の条件設定情報に楽曲タイトル名が含まれているか否かを確認することによって、第３の条件に楽曲タイトル名が設定されているか否かについて判定する（ステップＳ１０３０）。もし、楽曲タイトル名が設定されていないと評価情報生成部６４０′にて判定した場合（ステップＳ１０３０にてＮＯ）、処理はステップＳ１０５０に遷移する。
【０１３５】
一方、楽曲タイトル名が設定されていると評価情報生成部６４０′にて判定した場合（ステップＳ１０３０にてＹＥＳ）、評価情報生成部６４０′は、ステップＳ１０１０にて取り出した第３の条件設定情報に含まれる楽曲タイトル名と、楽曲コンテンツ受信部６２０から出力された第２の属性情報に含まれる楽曲タイトル名とが一致するか否かについて判定する（ステップＳ１０４０）。
【０１３６】
もし、一致しないと評価情報生成部６４０′にて判定した場合（ステップＳ１０４０にてＮＯ）、処理はステップＳ１０６０に遷移する。一方、一致すると評価情報生成部６４０′にて判定した場合（ステップＳ１０４０にてＹＥＳ）、評価情報生成部６４０′は、図９のステップＳ５２０にて生成した評価情報に含まれる嗜好情報の値を、ステップＳ１０１０にて取り出した第３の条件設定情報に含まれるアクション（嫌い、スキップおよびノーアクションの何れか）に更新する（ステップＳ１０５０）。ステップＳ１０５０の処理が完了することによって、評価情報生成部６４０′は図９〜１４における処理を終了する。
【０１３７】
図１２のステップＳ８２０における判定処理に戻り、第２の条件にアルバム名が設定されていると評価情報生成部６４０′にて判定した場合（ステップＳ８２０にてＹＥＳ）、評価情報生成部６４０′は、ステップＳ８００にて取り出した第２の条件設定情報に含まれるアルバム名と、楽曲コンテンツ受信部６２０から出力された第２の属性情報に含まれるアルバム名とが一致するか否かについて判定する（ステップＳ８３０）。もし、一致しないと評価情報生成部６４０′にて判定した場合（ステップＳ８３０にてＮＯ）、処理はステップＳ８７０に遷移する。
【０１３８】
一方、一致すると評価情報生成部６４０′にて判定した場合（ステップＳ８３０にてＹＥＳ）、評価情報生成部６４０′は、ステップＳ８００にて取り出した第２の条件設定情報に楽曲タイトル名が含まれているか否かを確認することによって、第２の条件に楽曲タイトル名が設定されているか否かについて判定する（ステップＳ８４０）。もし、楽曲タイトル名が設定されていないと評価情報生成部６４０′にて判定した場合（ステップＳ８４０にてＮＯ）、処理は図１４のステップＳ１１００に遷移する。第２の条件で楽曲タイトル名の設定がないということは、そのアーティスト名およびアルバム名で特定される楽曲コンテンツに対するユーザの好みの程度が高いことを示している。しかし、例外的に、楽曲コンテンツ受信部６２０により受信された楽曲コンテンツが第３の条件を満たす可能性がある。そのため、ステップＳ１１００に遷移してその第３の条件を満たすかの例外判定を行う。
【０１３９】
ステップＳ１１００では、評価情報生成部６４０′は、条件設定情報記憶部７００を参照し、ステップＳ８００にて取り出した第２の条件設定情報とアーティスト名およびアルバム名が一致し、かつ、楽曲タイトル名が含まれている第３の条件設定情報が存在するか否かについて判定する。もし、そのような第３の条件設定情報が存在しないと評価情報生成部６４０′にて判定した場合（ステップＳ１１００にてＮＯ）、処理はステップＳ１１５０に遷移する。
【０１４０】
一方、上記のような第３の条件設定情報が存在すると評価情報生成部６４０′にて判定した場合（ステップＳ１１００にてＹＥＳ）、評価情報生成部６４０′は、その第３の条件設定情報を条件設定情報記憶部７００から取り出す（ステップＳ１１１０）。次に、評価情報生成部６４０′は、取り出した第３の条件設定情報に含まれる楽曲タイトル名と、楽曲コンテンツ受信部６２０から出力された第２の属性情報に含まれる楽曲タイトル名とが一致するか否かについて判定する（ステップＳ１１２０）。
【０１４１】
もし、一致しないと評価情報生成部６４０′にて判定した場合（ステップＳ１１２０にてＮＯ）、評価情報生成部６４０′は、ステップＳ１１１０にて取り出した第３の条件設定情報とアーティスト名およびアルバム名が一致し、かつ、楽曲タイトル名が含まれている他の第３の条件設定情報が条件設定情報記憶部７００に記憶されているか否かについて判定する（ステップＳ１１４０）。もし、他の第３の条件設定情報が記憶されていると評価情報生成部６４０′にて判定した場合（ステップＳ１１４０にてＹＥＳ）、処理はステップＳ１１１０に遷移する。
【０１４２】
一方、他の第３の条件設定情報が記憶されていないと評価情報生成部６４０′にて判定した場合（ステップＳ１１４０にてＮＯ）、評価情報生成部６４０′は、図９のステップＳ５２０にて生成した評価情報に含まれる嗜好情報の値を「好き」に更新する（ステップＳ１１５０）。ステップＳ１１５０の処理が完了することによって、評価情報生成部６４０′は図９〜１４における処理を終了する。
【０１４３】
一方、楽曲タイトル名が一致すると評価情報生成部６４０′にて判定した場合（ステップＳ１１２０にてＹＥＳ）、評価情報生成部６４０′は、図９のステップＳ５２０にて生成した評価情報に含まれる嗜好情報の値を、ステップＳ１１１０にて取り出した第３の条件設定情報に含まれるアクション（嫌い、スキップおよびノーアクションの何れか）に更新する（ステップＳ１１３０）。ステップＳ１１３０の処理が完了することによって、評価情報生成部６４０′は図９〜１４における処理を終了する。
【０１４４】
図１２のステップＳ８４０における判定処理に戻り、第２の条件に楽曲タイトル名が設定されていると評価情報生成部６４０′にて判定した場合（ステップＳ８４０にてＹＥＳ）、評価情報生成部６４０′は、ステップＳ８００にて取り出した第２の条件設定情報に含まれる楽曲タイトル名と、楽曲コンテンツ受信部６２０から出力された第２の属性情報に含まれる楽曲タイトル名とが一致するか否かについて判定する（ステップＳ８５０）。
【０１４５】
もし、一致しないと評価情報生成部６４０′にて判定した場合（ステップＳ８５０にてＮＯ）、処理はステップＳ８７０に遷移する。一方、一致すると評価情報生成部６４０′にて判定した場合（ステップＳ８５０にてＹＥＳ）、評価情報生成部６４０′は、ステップＳ５２０にて生成した評価情報に含まれる嗜好情報の値を「好き」に更新する（ステップＳ８６０）。ステップＳ８６０の処理が完了することによって、評価情報生成部６４０′は図９〜１４における処理を終了する。
【０１４６】
以上詳しく説明したように、第２の実施形態では、楽曲コンテンツ受信部６２０から出力された第２の属性情報と、楽曲コンテンツ記憶部５２０に記憶されている第１の属性情報と、条件設定情報記憶部７００に記憶されている第２の条件設定情報および第３の条件設定情報とに基づいて、楽曲コンテンツ受信部６２０により受信された楽曲コンテンツに対するユーザの好みの程度を示す所定値から成る評価情報を生成し携帯端末１４０に送信するようにしている。このように構成した第２の実施形態によれば、ユーザが車載装置１６０′の画面を見ながら評価情報に関する入力を行わなくても、楽曲コンテンツ配信サーバ１２０から携帯端末１４０に配信された楽曲コンテンツに付随する第２の属性情報から当該楽曲コンテンツに対する評価情報が自動的に生成され、携帯端末１４０に送信される。そのため、第２の実施形態でも、第１の実施形態と同様の効果を得ることができる。
【０１４７】
また、第２の実施形態では、ユーザの好みの程度が高いこと（好き）を示す評価情報を生成する基準となる第１の条件を満たす場合（つまり、「好き」を示す評価情報が生成される場合）でも、その例外として、ユーザの好みの程度が低いこと（嫌いなど）を示す評価情報を生成する基準となる第３の条件を満たすときには、最終的に好みの程度が低いこと（嫌いなど）を示す評価情報を生成する。これにより、楽曲コンテンツ受信部６２０により受信された楽曲コンテンツについて、ユーザの嗜好により近い評価情報が生成されるようにすることができる。
【０１４８】
また、第２の実施形態では、ユーザの好みの程度が高いこと（好き）を示す評価情報を生成する基準となる第１の条件を満たさない場合（つまり、「スキップ」を示す評価情報が生成される場合）でも、その例外として、ユーザの好みの程度が高いこと（好き）を示す評価情報を生成する基準となる第２の条件を満たすときには、最終的に好みの程度が高いこと（好き）を示す評価情報を生成する。これにより、楽曲コンテンツ受信部６２０により受信された楽曲コンテンツについて、ユーザの嗜好により近い評価情報が生成されるようにすることができる。さらに、楽曲コンテンツ記憶部５２０に記憶されていないアーティストの楽曲コンテンツが配信された場合にも、ユーザは、そのアーティスト特有のリズムやサウンドを有する多くの楽曲コンテンツを聴くことができ、今まで全く聴いたことのなかった自分好みの楽曲コンテンツに出会える喜びを享受することができる。
【０１４９】
また、第２の実施形態では、好みの程度が高いことを示す評価情報を生成する基準となる第２の条件、好みの程度が低いことを示す評価情報を生成する基準となる第３の条件の両方を満たす楽曲コンテンツが配信された場合、より下位の階層まで設定されている方の条件（第２の条件または第３の条件）に応じて評価情報を生成している。そもそも、より下位の階層まで設定されている条件の方がユーザの嗜好をより反映した条件であると考えられる。そのため、ユーザの嗜好を的確に反映した評価情報が自動的に生成されるようにすることができる。
【０１５０】
なお、上記第２の実施形態では、評価情報生成部６４０′が、楽曲コンテンツ受信部６２０から出力された第２の属性情報、楽曲コンテンツ記憶部５２０に記憶されている第１の属性情報および条件設定情報記憶部７００に記憶されている第２の条件設定情報および第３の条件設定情報に基づいて、評価情報を生成する例について説明したが、本発明はこれに限定されない。例えば、評価情報生成部６４０′は、楽曲コンテンツ受信部６２０から出力された第２の属性情報と、条件設定情報記憶部７００に記憶されている第２の条件設定情報および第３の条件設定情報とに基づいて、評価情報を生成するようにしても良い。
【０１５１】
この場合、図９〜１４のフローチャートにおいて、ステップＳ４００〜Ｓ４２０，Ｓ５１０，Ｓ５２０、図１２〜１４の各処理は不要となる。そして、ステップＳ６４０において肯定判定が行われた場合、および、ステップＳ７２０において肯定判定が行われた場合、評価情報生成部６４０′は、楽曲コンテンツ受信部６２０から出力された楽曲コンテンツの第２の属性情報に含まれるアーティスト名、アルバム名および楽曲タイトル名をそれぞれ示すアーティスト名情報、アルバム名情報および楽曲タイトル名情報と、楽曲コンテンツ受信部６２０により受信された楽曲コンテンツに対するユーザの好みの程度を示す所定値として値が「好き」である嗜好情報とを含む評価情報を生成する。
【０１５２】
また、ステップＳ４９０、Ｓ６６０、Ｓ７４０において、評価情報生成部６４０′は、楽曲コンテンツ受信部６２０から出力された楽曲コンテンツの第２の属性情報に含まれるアーティスト名、アルバム名および楽曲タイトル名をそれぞれ示すアーティスト名情報、アルバム名情報および楽曲タイトル名情報と、ステップＳ４３０にて取り出した第３の条件設定情報に含まれるアクション（嫌い、スキップおよびノーアクションの何れか）が値である嗜好情報とを含む評価情報を生成する。
【０１５３】
次に、本発明の第３の実施形態を図面に基づいて説明する。第３の実施形態では、第２の実施形態と異なり、楽曲コンテンツ配信サーバ１２０から配信された楽曲コンテンツについて、第１の条件を満たすか否かの判定は行わず、第２の条件および第３の条件を満たすか否かの判定を行う。ただし、好みの程度が低いか否かを判定するための第３の条件を満たした場合の評価を優先して評価情報の生成を行う。つまり、第２の条件および第３の条件を満たす場合、または、第２の条件を満たさず第３の条件を満たす場合には、ユーザの好みの程度が低いことを示す評価情報を生成する。一方、第２の条件を満たして第３の条件を満たさない場合に限り、ユーザの好みの程度が高いことを示す評価情報を生成する。
【０１５４】
図１５は、第３の実施形態による楽曲コンテンツ配信システム１００の構成例を示すブロック図である。図１５に示すように、楽曲コンテンツ配信システム１００の車載装置１６０′′は、第２の実施形態と比べて、図５の評価情報生成部６４０′の代わりに、評価情報生成部６４０′′を備えている。条件設定情報記憶部７００は、本発明の第１の属性情報記憶部に対応する。なお、この図１５において、図５に示した符号と同一の符号を付したものは同一の機能を有するものであるので、ここでは重複する説明を省略する。
【０１５５】
評価情報生成部６４０′′は、楽曲コンテンツ受信部６２０から第２の属性情報が出力された場合、その第２の属性情報および条件設定情報記憶部７００に記憶されている第２の条件設定情報および第３の条件設定情報に基づいて、当該第２の属性情報に含まれるアーティスト名、アルバム名および楽曲タイトル名をそれぞれ示すアーティスト名情報、アルバム名情報および楽曲タイトル名情報と、値が「好き」、「嫌い」、「スキップ」または「ノーアクション」である嗜好情報とを含む評価情報を生成する。なお、第２の条件設定情報および第３の条件設定情報からアクションを除いた属性情報は、本発明の第４の属性情報および第５の属性情報にそれぞれ対応する。この評価情報生成部６４０′′による評価情報生成処理については、図１６のフローチャートで詳細に説明する。そして、評価情報生成部６４０′′は、生成した評価情報を評価情報送信部６６０′に出力する。
【０１５６】
次に、評価情報生成部６４０′′による評価情報生成処理の詳細について説明する。なお、第３の実施形態の楽曲コンテンツ配信システム１００による評価情報の送信動作は、図８を用いて説明した第２の実施形態と同様である（ただし、評価情報生成部６４０′′による評価情報生成処理を除く）ため、説明を省略する。図１６は、評価情報生成部６４０′′による評価情報生成処理の動作例を示すフローチャートである。
【０１５７】
まず、評価情報生成部６４０′′は、第３の条件設定情報を条件設定情報記憶部７００から１つ取り出す（ステップＳ１２００）。次に、評価情報生成部６４０′′は、取り出した第３の条件設定情報に含まれるアーティスト名と、楽曲コンテンツ受信部６２０から出力された第２の属性情報に含まれるアーティスト名とが一致するか否かについて判定する（ステップＳ１２１０）。
【０１５８】
もし、一致しないと評価情報生成部６４０′′にて判定した場合（ステップＳ１２１０にてＮＯ）、評価情報生成部６４０′′は、条件設定情報記憶部７００に他の第３の条件設定情報が記憶されているか否かについて判定する（ステップＳ１２７０）。もし、他の第３の条件設定情報が記憶されていると評価情報生成部６４０′′にて判定した場合（ステップＳ１２７０にてＹＥＳ）、処理はステップＳ１２００に遷移する。
【０１５９】
一方、他の第３の条件設定情報が記憶されていないと評価情報生成部６４０′′にて判定した場合（ステップＳ１２７０にてＮＯ）、評価情報生成部６４０′′は、第２の条件設定情報を条件設定情報記憶部７００から１つ取り出す（ステップＳ１２８０）。次に、評価情報生成部６４０′′は、取り出した第２の条件設定情報に含まれるアーティスト名と、楽曲コンテンツ受信部６２０から出力された第２の属性情報に含まれるアーティスト名とが一致するか否かについて判定する（ステップＳ１２９０）。
【０１６０】
もし、一致しないと評価情報生成部６４０′′にて判定した場合（ステップＳ１２９０にてＮＯ）、評価情報生成部６４０′′は、条件設定情報記憶部７００に他の第２の条件設定情報が記憶されているか否かについて判定する（ステップＳ１３５０）。もし、他の第２の条件設定情報が記憶されていると評価情報生成部６４０′′にて判定した場合（ステップＳ１３５０にてＹＥＳ）、処理はステップＳ１２８０に遷移する。
【０１６１】
一方、他の第２の条件設定情報が記憶されていないと評価情報生成部６４０′′にて判定した場合（ステップＳ１３５０にてＮＯ）、評価情報生成部６４０′′は、値が「ノーアクション」である嗜好情報を含む評価情報を生成する（ステップＳ１３６０）。ステップＳ１３６０の処理が完了することによって、評価情報生成部６４０′′は図１６における処理を終了する。
【０１６２】
一方、アーティスト名が一致すると評価情報生成部６４０′′にて判定した場合（ステップＳ１２９０にてＹＥＳ）、評価情報生成部６４０′′は、取り出した第２の条件設定情報にアルバム名が含まれているか否かを確認することによって、第２の条件にアルバム名が設定されているか否かについて判定する（ステップＳ１３００）。もし、アルバム名が設定されていないと評価情報生成部６４０′′にて判定した場合（ステップＳ１３００にてＮＯ）、処理はステップＳ１３４０に遷移する。
【０１６３】
一方、アルバム名が設定されていると評価情報生成部６４０′′にて判定した場合（ステップＳ１３００にてＹＥＳ）、評価情報生成部６４０′′は、ステップＳ１２８０にて取り出した第２の条件設定情報に含まれるアルバム名と、楽曲コンテンツ受信部６２０から出力された第２の属性情報に含まれるアルバム名とが一致するか否かについて判定する（ステップＳ１３１０）。もし、一致しないと評価情報生成部６４０′′にて判定した場合（ステップＳ１３１０にてＮＯ）、処理はステップＳ１３５０に遷移する。
【０１６４】
一方、一致すると評価情報生成部６４０′′にて判定した場合（ステップＳ１３１０にてＹＥＳ）、評価情報生成部６４０′′は、ステップＳ１２８０にて取り出した第２の条件設定情報に楽曲タイトル名が含まれているか否かを確認することによって、第２の条件に楽曲タイトル名が設定されているか否かについて判定する（ステップＳ１３２０）。もし、楽曲タイトル名が設定されていないと評価情報生成部６４０′′にて判定した場合（ステップＳ１３２０にてＮＯ）、処理はステップＳ１３４０に遷移する。
【０１６５】
一方、楽曲タイトル名が設定されていると評価情報生成部６４０′′にて判定した場合（ステップＳ１３２０にてＹＥＳ）、評価情報生成部６４０′′は、ステップＳ１２８０にて取り出した第２の条件設定情報に含まれる楽曲タイトル名と、楽曲コンテンツ受信部６２０から出力された第２の属性情報に含まれる楽曲タイトル名とが一致するか否かについて判定する（ステップＳ１３３０）。もし、一致しないと評価情報生成部６４０′′にて判定した場合（ステップＳ１３３０にてＮＯ）、処理はステップＳ１３５０に遷移する。
【０１６６】
一方、一致すると評価情報生成部６４０′′にて判定した場合（ステップＳ１３３０にてＹＥＳ）、評価情報生成部６４０′′は、楽曲コンテンツ受信部６２０から出力された第２の属性情報に含まれるアーティスト名、アルバム名および楽曲タイトル名をそれぞれ示すアーティスト名情報、アルバム名情報および楽曲タイトル名情報と、楽曲コンテンツ受信部６２０により受信された楽曲コンテンツに対するユーザの好みの程度を示す所定値として値が「好き」である嗜好情報とを含む評価情報を生成する（ステップＳ１３４０）。ステップＳ１３４０の処理が完了することによって、評価情報生成部６４０′′は図１６における処理を終了する。
【０１６７】
ステップＳ１２１０の判定処理に戻り、アーティスト名が一致すると評価情報生成部６４０′′にて判定した場合（ステップＳ１２１０にてＹＥＳ）、評価情報生成部６４０′′は、ステップＳ１２００にて取り出した第３の条件設定情報にアルバム名が含まれているか否かを確認することによって、第３の条件にアルバム名が設定されているか否かについて判定する（ステップＳ１２２０）。もし、アルバム名が設定されていないと評価情報生成部６４０′′にて判定した場合（ステップＳ１２２０にてＮＯ）、処理はステップＳ１２６０に遷移する。
【０１６８】
一方、アルバム名が設定されていると評価情報生成部６４０′′にて判定した場合（ステップＳ１２２０にてＹＥＳ）、評価情報生成部６４０′′は、ステップＳ１２００にて取り出した第２の条件設定情報に含まれるアルバム名と、楽曲コンテンツ受信部６２０から出力された第２の属性情報に含まれるアルバム名とが一致するか否かについて判定する（ステップＳ１２３０）。もし、一致しないと評価情報生成部６４０′′にて判定した場合（ステップＳ１２３０にてＮＯ）、処理はステップＳ１２７０に遷移する。
【０１６９】
一方、一致すると評価情報生成部６４０′′にて判定した場合（ステップＳ１２３０にてＹＥＳ）、評価情報生成部６４０′′は、ステップＳ１２００にて取り出した第３の条件設定情報に楽曲タイトル名が含まれているか否かを確認することによって、第３の条件に楽曲タイトル名が設定されているか否かについて判定する（ステップＳ１２４０）。もし、楽曲タイトル名が設定されていないと評価情報生成部６４０′′にて判定した場合（ステップＳ１２４０にてＮＯ）、処理はステップＳ１２６０に遷移する。
【０１７０】
一方、楽曲タイトル名が設定されていると評価情報生成部６４０′′にて判定した場合（ステップＳ１２４０にてＹＥＳ）、評価情報生成部６４０′′は、ステップＳ１２００にて取り出した第３の条件設定情報に含まれる楽曲タイトル名と、楽曲コンテンツ受信部６２０から出力された第２の属性情報に含まれる楽曲タイトル名とが一致するか否かについて判定する（ステップＳ１２５０）。もし、一致しないと評価情報生成部６４０′′にて判定した場合（ステップＳ１２５０にてＮＯ）、処理はステップＳ１２７０に遷移する。
【０１７１】
一方、一致すると評価情報生成部６４０′′にて判定した場合（ステップＳ１２５０にてＹＥＳ）、評価情報生成部６４０′′は、楽曲コンテンツ受信部６２０から出力された第２の属性情報に含まれるアーティスト名、アルバム名および楽曲タイトル名をそれぞれ示すアーティスト名情報、アルバム情報および楽曲タイトル名情報と、ステップＳ１２００にて取り出した第２の条件設定情報に含まれるアクション（嫌い、スキップおよびノーアクションの何れか）が値である嗜好情報とを含む評価情報を生成する（ステップＳ１２６０）。ステップＳ１２６０の処理が完了することによって、評価情報生成部６４０′′は図１６における処理を終了する。
【０１７２】
以上詳しく説明したように、第３の実施形態では、楽曲コンテンツ受信部６２０から出力された第２の属性情報と、条件設定情報記憶部７００に記憶されている第２の条件設定情報および第３の条件設定情報とに基づいて、楽曲コンテンツ受信部６２０により受信された楽曲コンテンツに対するユーザの好みの程度を示す所定値から成る評価情報を生成し携帯端末１４０に送信するようにしている。このように構成した第３の実施形態によれば、ユーザが車載装置１６０′′の画面を見ながら評価情報に関する入力を行わなくても、楽曲コンテンツ配信サーバ１２０から携帯端末１４０に配信された楽曲コンテンツに付随する第２の属性情報から当該楽曲コンテンツに対する評価情報が自動的に生成され、携帯端末１４０に送信される。そのため、第３の実施形態でも、第１の実施形態と同様の効果を得ることができる。
【０１７３】
なお、上記第１および第２の実施形態では、楽曲コンテンツ受信部６２０から出力された第２の属性情報に含まれるアーティスト名が、楽曲コンテンツ記憶部５２０に記憶されている第１の属性情報に含まれるアーティスト名と合致しないと判定した場合、値が「スキップ」である嗜好情報を含む評価情報を生成する例について説明したが、本発明はこれに限定されない。例えば、評価情報生成部６４０（６４０′）は、値が「嫌い」である嗜好情報を含む評価情報を生成するようにしても良い。なお、値が「スキップ」である嗜好情報を含む評価情報を生成するのか、または、値が「嫌い」である嗜好情報を含む評価情報を生成するのかはユーザが事前に設定できるようにしても良い。
【０１７４】
また、上記第１〜第３の実施形態において、評価情報送信部６６０（６６０′）が、ユーザの好みの程度が低いことを示す所定値から成る（すなわち、嗜好情報の値が「スキップ」または「嫌い」である）評価情報を連続で送信することを許容する回数を設定しておき、その設定した回数を超えて、ユーザの好みの程度が低いことを示す評価情報を連続で送信することを禁止するように評価情報送信部６６０（６６０′）を制御しても良い。図１７は、この制御機能を第１の実施形態に適用した場合における楽曲コンテンツ配信システム１００の構成例を示すブロック図である。
【０１７５】
図１７に示すように、楽曲コンテンツ配信システム１００の車載装置１６０は、許容回数設定部７２０および制御部７４０を更に備えている。許容回数設定部７２０は、評価情報送信部６６０が、ユーザの好みの程度が低いことを示す所定値から成る評価情報を連続で送信することを許容する回数を、操作部に対するユーザ操作に応じて設定する。制御部７４０は、許容回数設定部７２０により設定された回数を超えて、評価情報送信部６６０がユーザの好みの程度が低いことを示す所定値から成る評価情報を連続で送信することを禁止するように制御する。
【０１７６】
図１８は、ユーザの好みの程度が低いことを示す所定値から成る評価情報を連続で送信することを許容する回数を設定するための許容回数設定画面の例である。図１８において、１０００はユーザが所望の許容回数（図１８の例では、５回）を入力するための入力ボックスである。
【０１７７】
このようにすれば、ユーザの好みの程度が低い楽曲コンテンツが連続で配信されるような状況において、いつまでたっても楽曲コンテンツの再生可能な状態にならないといった弊害を防止することができる。上記第１〜第３の実施形態によれば、ユーザによる評価情報の入力がなくてもシステムが評価情報を自動的に生成してくれるが、ユーザが自分の意見で評価情報を生成することができない。そのため、「嫌い」、「スキップ」と判定される楽曲コンテンツがたまたま連続して配信されてくると、いつまでたっても楽曲コンテンツの再生可能な状態にならない。特に、車載装置１６０に保有している楽曲コンテンツのアーティスト名と一致しなければ「スキップ」とする第１の実施形態ではその傾向が強い。このような場合に、上記のように「嫌い」または「スキップ」の回数制限を設ければ、ユーザによる評価情報の入力がなくても、いつまでたっても楽曲コンテンツの再生可能な状態にならないといった弊害をなくすことができる。
【０１７８】
また、上記第１〜第３の実施形態では、楽曲コンテンツ記憶部５２０を車載装置１６０（１６０′，１６０′′）に内蔵する例について説明したが、本発明はこれに限定されない。例えば、楽曲コンテンツ記憶部５２０を車載装置１６０（１６０′，１６０′′）に接続可能な外付けの記録媒体（例えば、ハードディスクやＵＳＢメモリなど）としても良い。
【０１７９】
その他、上記第１〜第３の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【０１８０】
１２０  楽曲コンテンツ配信サーバ
１４０  携帯端末
１６０，１６０′，１６０′′  車載装置
５２０  楽曲コンテンツ記憶部（第１の属性情報記憶部）
６２０  楽曲コンテンツ受信部
６４０，６４０′，６４０′′  評価情報生成部
６６０，６６０′  評価情報送信部
７００  条件設定情報記憶部（第１の属性情報記憶部）
７２０  許容回数設定部
７４０  制御部
【図１】
0005602007.tif 000002
【図２】
0005602007.tif 000003
【図３】
0005602007.tif 000004
【図４】
0005602007.tif 000005
【図５】
0005602007.tif 000006
【図６】
0005602007.tif 000007
【図７】
0005602007.tif 000008
【図８】
0005602007.tif 000009
【図９】
0005602007.tif 000010
【図１０】
0005602007.tif 000011
【図１１】
0005602007.tif 000012
【図１２】
0005602007.tif 000013
【図１３】
0005602007.tif 000014
【図１４】
0005602007.tif 000015
【図１５】
0005602007.tif 000016
【図１６】
0005602007.tif 000017
【図１７】
0005602007.tif 000018
【図１８】
0005602007.tif 000019